(57)【要約】【課題】信頼性低下及びコスト増大を抑制する冷凍装置の室外ユニットを提供する。【解決手段】室外ユニット１０は、室外ユニットケーシング４０と、強電部品９５及び弱電部品９０を含む電気部品Ｅ１と、室外ユニットケーシング４０内に配置される電装品箱５０と、強電部品９５と対応機器の間で電圧又は電流を供給される強電配線９６と、弱電部品９０と対応機器の間で強電配線９６よりも小さい値の電圧又は電流を供給される弱電配線９１と、電装品箱５０内への液体の浸入を抑制するカバーユニット５６と、を備える。電装品箱５０には、強電配線９６引込用の強電配線通し穴Ｈ１と、弱電配線９１引込用の弱電配線通し穴Ｈ２と、が側方に形成される。カバーユニット５６（第１側面カバー５４）は、電装品箱５０の外面において強電配線通し穴Ｈ１及び弱電配線通し穴Ｈ２の周囲に配置され双方の上方及び側方を覆う。【選択図】図２４
2019032143.tif 000002
【特許請求の範囲】
【請求項１】
複数の機器（１１、１８、１９、・・・）を収容するケーシング（４０、４０´）と、
第１電気部品（９５）と、第２電気部品（９０）と、を含む電気部品（Ｅ１）と、
前記ケーシング内に配置され、前記電気部品を収容する電気部品ボックス（５０、５０ａ、５０ｂ）と、
前記第１電気部品といずれかの前記機器（１１、１８、・・・）との間で電圧又は電流を供給される第１配線（９６）と、
前記第２電気部品と他のいずれかの前記機器（１９、・・・）との間で、前記第１配線に供給されるよりも小さい値の電圧又は電流を供給される第２配線（９１）と、
前記電気部品ボックス内への液体の浸入を抑制するカバー部（５６；５４、５３）と、
を備え、
前記電気部品ボックスには、前記第１配線を引き込むための第１開口（Ｈ１）と、前記第２配線を引き込むための第２開口（Ｈ２）と、が側方に形成され、
前記カバー部は、前記電気部品ボックスの外面において前記第１開口及び前記第２開口の周囲に配置され、前記第１開口及び前記第２開口双方の上方及び側方を覆う、
冷凍装置の室外ユニット（１０、１０´）。
【請求項２】
前記機器には、空気流（ＡＦ）を生成するファン（１８）が含まれ、
前記ケーシングには、上方向に前記空気流を吹き出すための吹出口（４０２）が形成され、
前記空気流は、前記ケーシング内において下方から上方へ向かって流れ前記吹出口から流出する空気の流れである、
請求項１に記載の冷凍装置の室外ユニット（１０、１０´）。
【請求項３】
前記電気部品ボックス又は前記カバー部には、前記第１開口及び前記第２開口に引き込まれる前記第１配線及び前記第２配線を仕切る仕切部（９８、９８´）が配置される、
請求項１又は２に記載の冷凍装置の室外ユニット（１０、１０´）。
【請求項４】
前記電気部品を実装される基板（７０）を備え、
前記第１開口及び前記第２開口は、前記基板の上端よりも低い高さ位置であって下端よりも高い高さ位置に配置される、
請求項１から３のいずれか１項に記載の冷凍装置の室外ユニット（１０、１０´）。
【請求項５】
前記電気部品ボックスには、前記第１開口及び前記第２開口の双方を兼ねる配線通し穴（５２ｃ）が形成され、
前記第１配線及び前記第２配線は、前記配線通し穴を介して、分かれて前記電気部品ボックス内に引き込まれ、
前記カバー部は、前記配線通し穴の周囲に配置され、前記配線通し穴の上方及び側方を覆う、
請求項１から４のいずれか１項に記載の冷凍装置の室外ユニット（１０、１０´）。
【請求項６】
前記第１開口に引き込まれる前記第１配線、及び前記第２開口に引き込まれる前記第２配線はそれぞれ１５本以上である、
請求項１から５のいずれか１項に記載の冷凍装置の室外ユニット（１０、１０´）。
【請求項７】
前記カバー部（５４）は、下方に開放する下開口（５４ａ）を形成され、
前記第１配線及び前記第２配線は前記下開口を介して前記カバー部及び前記電気部品ボックス内に引き込まれる、
請求項１から６のいずれか１項に記載の冷凍装置の室外ユニット（１０、１０´）。
【請求項８】
前記カバー部は、第１カバー部材（５４）と、第２カバー部材（５３）と、を含み、
前記第２カバー部材は、前記第１カバー部材の上方に位置し前記第１カバー部材を上方から覆う、
請求項１から７のいずれか１項に記載の冷凍装置の室外ユニット（１０、１０´）。
【発明の詳細な説明】
【技術分野】
【０００１】
本発明は、冷凍装置の室外ユニットに関する。
【背景技術】
【０００２】
従来、冷凍装置の室外ユニットでは、圧縮機がケーシングの底板上に配置され、圧縮機に電力供給を行う電気部品についてはケーシング内に配置される電気部品ボックスに収容されるのが一般的である。ここで、圧縮機に電力供給を行う電気部品と圧縮機間を結ぶ電気配線（電力供給線）に関して、長手方向の寸法を短くしてコスト抑制、ノイズ抑制又は配線取り回しの容易化を図るために、係る電気部品を収容する電気品ボックスへその側部から配線を引き込むことが考えられる。例えば、特許文献１（特開２００８−１４４９８２号公報）では、圧縮機がケーシングの底板上に配置される冷凍装置の室外ユニットにおいて、電力供給線が電気部品ボックスの側部から電気部品ボックス内に引き込まれている。
【発明の概要】
【発明が解決しようとする課題】
【０００３】
ここで、電気部品ボックスに引き込まれる電気配線については、機器（例えば圧縮機等のアクチュエータやヒータ）の動力源となる電力供給を行うための配線（強電配線）と、機器（例えばセンサやマイクロコンピュータ）間で送受信される制御信号を送るための配線（弱電配線）が存在する。弱電配線は強電配線より値が小さい電圧又は電流を供給されることが一般的であり、弱電配線と強電配線とが近接する場合には弱電配線においてノイズが生じることが懸念される。このため、信頼性低下を抑制するために、弱電配線と強電配線とは分けて電気部品ボックスへ引き込まれるのが通常である。
【０００４】
一方で、冷凍装置の室外ユニットでは、電気部品ボックス内への液体の浸入を防止するための対策が必要となるが、強電配線用の配線の引き込み部分、及び弱電配線用の配線の引き込み部分のそれぞれに対して係る対策を個別に行う場合には、コスト増大が懸念される。
【０００５】
そこで本発明の課題は、信頼性低下を抑制するとともにコスト増大を抑制する冷凍装置の室外ユニットを提供することである。
【課題を解決するための手段】
【０００６】
本発明の第１観点に係る冷凍装置の室外ユニットは、ケーシングと、電気部品と、電気部品ボックスと、第１配線と、第２配線と、カバー部と、を備える。ケーシングは、複数の機器を収容する。電気部品は、第１電気部品と、第２電気部品と、を含む。電気部品ボックスは、ケーシング内に配置される。電気部品ボックスは、電気部品を収容する。第１配線は、第１電気部品といずれかの機器との間で、電圧又は電流を供給される。第２配線は、第２電気部品と他のいずれかの機器との間で、第１配線に供給されるよりも小さい値の電圧又は電流を供給される。カバー部は、電気部品ボックス内への液体の浸入を抑制する。電気部品ボックスには、第１開口と、第２開口と、が側方に形成される。第１開口は、第１配線を引き込むための開口である。第２開口は、第２配線を引き込むための開口である。カバー部は、電気部品ボックスの外面において、第１開口及び第２開口の周囲に配置される。カバー部は、第１開口及び第２開口双方の上方及び側方を覆う。
【０００７】
本発明の第１観点に係る冷凍装置の室外ユニットでは、電気部品ボックス内への液体の浸入を抑制するカバー部は、電気部品ボックスの外面において、第１配線を引き込むための第１開口及び第２配線を引き込むための第２開口の周囲に配置され、第１開口及び第２開口双方の上方及び側方を覆う。これにより、第１配線及び第２配線を分けて電気部品ボックスへ引き込みつつ、第１配線引き込み用の第１開口及び第２配線引き込み用の第２開口が共通のカバー部で覆われることで、部品点数が削減されつつ、電気部品ボックス内への液体の浸入を簡易且つ的確に抑制することが可能となる。よって、信頼性低下が抑制されつつ、電気部品ボックス内への液体の浸入を防止するうえでコスト増大が抑制される。
【０００８】
なお、ここでの「第１配線」は、主として、機器（例えばモータ等のアクチュエータやヒータ）の動力源となる電力供給を行うための配線（いわゆる強電配線）である。また、「第２配線」は、主として、機器（例えばセンサやマイクロコンピュータ）間で送受信される制御信号を送るための配線（いわゆる弱電配線）であり、第１配線に所定距離（例えば３ｃｍ）以内で近接することでノイズが特に生じやすい配線である。「第１配線」及び「第２配線」のそれぞれに供給される電圧及び電流の値は、設計仕様や設置環境に応じて適宜選定される。例えば、「第１配線」には５０Ｖ以上の電圧（またはそれに関する電流）が供給される。また、例えば「第２配線」には１５Ｖ以下の電圧（またはそれに関する電流）が供給される。
【０００９】
また、ここでの「複数の機器」は冷凍装置を構成する機器であり、「複数の機器」には、例えば、圧縮機、ファン、電動弁、電磁弁、ヒータ、温度センサ及び圧力センサのいずれか／全てが含まれる。
【００１０】
本発明の第２観点に係る冷凍装置の室外ユニットは、第１観点に係る冷凍装置の室外ユニットであって、機器には、ファンが含まれる。ファンは、空気流を生成する。ケーシングには、吹出口が形成される。吹出口は、上方向に空気流を吹き出すための開口である。空気流は、ケーシング内において下方から上方へ向かって流れ吹出口から流出する空気の流れである。
【００１１】
本発明の第２観点に係る冷凍装置の室外ユニットでは、上方向に空気流を吹き出すための吹出口を形成された室外ユニット（すなわち吹出口を介してケーシングへの液体の浸入が特に懸念される室外ユニット）においても、コストが抑制されつつ電気部品ボックスへの液体の浸入が抑制される。
【００１２】
本発明の第３観点に係る冷凍装置の室外ユニットは、第１観点又は第２観点に係る冷媒冷凍装置の室外ユニットであって、電気部品ボックス又はカバー部には、仕切部が配置される。仕切部は、第１開口及び第２開口に引き込まれる第１配線及び第２配線を仕切る。
【００１３】
これにより、第１開口に引き込まれる第１配線、及び第２開口に引き込まれる第２配線に関し、両者が近接することが抑制される。その結果、第２配線において、第１配線に近接することによるノイズの発生が抑制される。よって、信頼性低下がさらに抑制される。
【００１４】
本発明の第４観点に係る冷凍装置の室外ユニットは、第１観点から第３観点のいずれかに係る冷凍装置の室外ユニットであって、基板を備える。基板は、電気部品を実装される。第１開口及び第２開口は、基板の上端よりも低い高さ位置であって下端よりも高い高さ位置に配置される。
【００１５】
本発明の第４観点に係る冷凍装置の室外ユニットでは、第１開口及び第２開口は、基板の上端よりも低い高さ位置であって下端よりも高い高さ位置に配置されることで、第１開口及び第２開口が近接配置されうる。その結果、カバー部が第１開口及び第２開口の双方を覆いやすくなり、コスト抑制が促進される。
【００１６】
本発明の第５観点に係る冷凍装置の室外ユニットは、第１観点から第４観点のいずれかに係る冷凍装置の室外ユニットであって、電気部品ボックスには、配線通し穴が形成される。配線通し穴は、第１開口及び第２開口の双方を兼ねる。第１配線及び第２配線は、配線通し穴を介して、分かれて電気部品ボックス内に引き込まれる。カバー部は、配線通し穴の周囲に配置される。カバー部は、配線通し穴の上方及び側方を覆う。
【００１７】
本発明の第５観点に係る冷凍装置の室外ユニットでは、第１配線及び第２配線は、第１開口及び第２開口の双方を兼ねる配線通し穴を介して、分かれて電気部品ボックス内に引き込まれる。これにより、第１配線及び第２配線の引き込み部分の双方をカバー部によって覆いやすくなり、コスト抑制がさらに促進される。
【００１８】
本発明の第６観点に係る冷凍装置の室外ユニットは、第１観点から第５観点のいずれかに係る冷凍装置の室外ユニットであって、第１開口に引き込まれる第１配線、及び第２開口に引き込まれる第２配線は、それぞれ１５本以上である。
【００１９】
本発明の第６観点に係る冷凍装置の室外ユニットでは、電気部品ボックス内に引き込まれる電気配線の数が多く、ノイズに因る信頼性低下や、液体浸入抑制に関してコスト増大が特に懸念される場合でも、信頼性低下が抑制されるとともに電気部品ボックス内への液体の浸入を防止するうえでコスト増大が抑制される。
【００２０】
本発明の第７観点に係る冷凍装置の室外ユニットは、第１観点から第６観点のいずれかに係る冷凍装置の室外ユニットであって、カバー部は、下方に開放する下開口を形成される。第１配線及び第２配線は、下開口を介して、カバー部及び電気部品ボックス内に引き込まれる。これにより、第１開口及び第２開口への液体浸入用のカバー部を簡易に構成することが可能となる。
【００２１】
本発明の第８観点に係る冷凍装置の室外ユニットは、第１観点から第７観点のいずれかに係る冷凍装置の室外ユニットであって、カバー部は、第１カバー部材と、第２カバー部材と、を含む。第２カバー部材は、第１カバー部材の上方に位置する。第２カバー部材は、第１カバー部材を上方から覆う。これにより、電気部品ボックス内への液体の浸入がさらに抑制される。
【発明の効果】
【００２２】
本発明の第１観点に係る冷凍装置の室外ユニットでは、第１配線及び第２配線を分けて電気部品ボックスへ引き込みつつ、第１配線引き込み用の第１開口及び第２配線引き込み用の第２開口が共通のカバー部で覆われることで、部品点数を削減しつつ、電気部品ボックス内への液体の浸入を簡易且つ的確に抑制することが可能となる。よって、信頼性低下が抑制されつつ、電気部品ボックス内への液体の浸入を防止するうえでコスト増大が抑制される。
【００２３】
本発明の第２観点に係る冷凍装置の室外ユニットでは、上方向に空気流を吹き出すための吹出口を形成された室外ユニット（すなわち吹出口を介してケーシングへの液体の浸入が特に懸念される室外ユニット）においても、コストが抑制されつつ電気部品ボックスへの液体の浸入が抑制される。
【００２４】
本発明の第３観点に係る冷凍装置の室外ユニットでは、信頼性低下がさらに抑制される。
【００２５】
本発明の第４観点に係る冷凍装置の室外ユニットでは、コスト抑制が促進される。
【００２６】
本発明の第５観点に係る冷凍装置の室外ユニットでは、コスト抑制がさらに促進される。
【００２７】
本発明の第６観点に係る冷凍装置の室外ユニットでは、電気部品ボックス内に引き込まれる電気配線の数が多く、ノイズに因る信頼性低下や、液体浸入抑制に関してコスト増大が特に懸念される場合でも、信頼性低下が抑制されるとともに電気部品ボックス内への液体の浸入を防止するうえでコスト増大が抑制される。
【００２８】
本発明の第７観点に係る冷凍装置の室外ユニットでは、第１開口及び第２開口への液体浸入用のカバー部を簡易に構成することが可能となる。
【００２９】
本発明の第８観点に係る冷凍装置の室外ユニットでは、電気部品ボックス内への液体の浸入がさらに抑制される。
【図面の簡単な説明】
【００３０】
【図１】本発明の一実施形態に係る室外ユニットを有する空調システムの概略構成図。
【図２】正面側から見た室外ユニットの斜視図。
【図３】背面側から見た室外ユニットの斜視図。
【図４】室外ユニットの概略分解図。
【図５】２つのファンモジュールを有する室外ユニットの一例の斜視図。
【図６】底フレーム上に配置される機器の配置態様と、室外空気流の流れ方向とを模式的に示した図。
【図７】第１前面パネルを取り外された状態における室外ユニットの正面側の拡大図。
【図８】室外ユニットケーシング内における室外空気流の流れる態様を模式的に示した図。
【図９】（前面カバーを取り外した状態の）電装品箱の正面図。
【図１０】図９に示される電装品箱の背面図。
【図１１】図９に示される電装品箱の右側面図。
【図１２】鉛直板（制御基板）を取り外した状態の電装品箱の正面図（弱電配線及び強電配線については一部省略）。
【図１３】図１２に示される電装品箱の正面斜視図。
【図１４】本体フレームの正面斜視図。
【図１５】図１４とは異なる方向から見た本体フレームの正面斜視図。
【図１６】天面カバーを取り外した状態の電装品箱の上面図。
【図１７】天面カバーの斜視図。
【図１８】図１７とは異なる方向から見た天面カバーの斜視図。
【図１９】第１側面カバーの斜視図。
【図２０】図１９とは異なる方向から見た第１側面カバーの斜視図。
【図２１】右方向から見た第１側面カバーの斜視図。
【図２２】左方向から見た第１側面カバーの斜視図。
【図２３】図１１のＡ部分の拡大図
【図２４】図２３に示される状態を背面側から見た斜視図。
【図２５】図２３に示される状態において第１側面カバーを省略した図。
【図２６】図２５に示される状態を背面側から見た斜視図。
【図２７】変形例１に係る電装品箱を図２５に対応させて示した図。
【図２８】変形例２に係る電装品箱を図２５に対応させて示した図。
【発明を実施するための形態】
【００３１】
以下、図面を参照しながら、本発明の一実施形態に係る室外ユニット１０について説明する。なお、以下の実施形態は、本発明の具体例であって、本発明の技術的範囲を限定するものではなく、発明の要旨を逸脱しない範囲で適宜変更が可能である。また、以下の説明において、「上」、「下」、「左」、「右」、「前」、「後」、「前面」、「背面」は、特にことわりのない限り、図２―２８に示される方向を意味している（但し、以下の実施例における左右及び／又は前後については適宜反転させてもよい）。
【００３２】
本発明の一実施形態に係る室外ユニット１０は、空調システム１００（冷凍装置）に適用されている。
【００３３】
（１）空調システム１００
図１は、本発明の一実施形態に係る室外ユニット１０を有する空調システム１００の概略構成図である。空調システム１００は、蒸気圧縮式の冷凍サイクルによって、対象空間（居住空間や貯蔵庫内等の被空調空間）の冷却又は加熱等の空調を行うシステムである。空調システム１００は、主として、室外ユニット１０と、複数（ここでは２台）の室内ユニット３０（３０ａ、３０ｂ）と、液側連絡配管Ｌ１及びガス側連絡配管Ｇ１と、を有している。
【００３４】
空調システム１００では、室外ユニット１０と室内ユニット３０とが、液側連絡配管Ｌ１及びガス側連絡配管Ｇ１を介して接続されることで、冷媒回路ＲＣが構成されている。空調システム１００では、冷媒回路ＲＣ内において、冷媒が、圧縮され、冷却又は凝縮され、減圧され、加熱又は蒸発された後に、再び圧縮される、という冷凍サイクルが行われる。
【００３５】
（１−１）室外ユニット１０
室外ユニット１０は、室外空間に設置される。室外空間は、空気調和が行われる対象空間外の空間であり、例えば建物の屋上等の屋外や、地下空間等である。室外ユニット１０は、液側連絡配管Ｌ１及びガス側連絡配管Ｇ１を介して各室内ユニット３０と接続されており、冷媒回路ＲＣの一部（室外側回路ＲＣ１）を構成している。室外ユニット１０は、室外側回路ＲＣ１を構成する機器として、主としてアキュームレータ１１、圧縮機１２、油分離器１３、四路切換弁１４、室外熱交換器１５、及び室外膨張弁１６等を有している。これらの機器（１１−１６）は、冷媒配管によって接続されている。
【００３６】
アキュームレータ１１は、圧縮機１２に液冷媒が過度に吸入されることを抑制すべく、冷媒を貯留して気液分離する容器である。
【００３７】
圧縮機１２は、冷凍サイクルにおける低圧の冷媒を高圧になるまで圧縮する機器である。本実施形態では、圧縮機１２は、ロータリ式やスクロール式等の容積式の圧縮要素が圧縮機モータＭ１２によって回転駆動される密閉式構造を有している。また、ここでは、圧縮機モータＭ１２は、インバータにより運転周波数の制御が可能であり、これにより、圧縮機１２の容量制御が可能になっている。圧縮機１２の発停並びに運転容量は、室外ユニット制御部２０によって制御される。
【００３８】
油分離器１３は、圧縮機１２から吐出される冷媒に相溶した冷凍機油を分離して圧縮機１２へ戻す容器である。
【００３９】
四路切換弁１４は、冷媒回路ＲＣにおける冷媒の流れを切り換えるための流路切換弁である。
【００４０】
室外熱交換器１５は、冷媒の凝縮器（又は放熱器）又は蒸発器として機能する熱交換器である。
【００４１】
室外膨張弁１６は、開度制御が可能な電動弁であり、開度に応じて流入する冷媒を減圧する又は流量調節する。
【００４２】
また、室外ユニット１０は、室外空気流ＡＦを生成する室外ファン１８（特許請求の範囲記載の「ファン」に相当）を有している。室外空気流ＡＦ（特許請求の範囲記載の「空気流」に相当）は、室外ユニット１０外から室外ユニット１０内へ流入して室外熱交換器１５を通過する空気の流れである。室外空気流ＡＦは、室外熱交換器１５を流れる冷媒の冷却源又は加熱源であり、室外熱交換器１５を通過する際に室外熱交換器１５内の冷媒と熱交換を行う。室外ファン１８は、室外ファンモータＭ１８を含み、室外ファンモータＭ１８に連動して駆動する。室外ファン１８の発停及び回転数は、室外ユニット制御部２０によって適宜制御される。
【００４３】
また、室外ユニット１０には、冷媒回路ＲＣ内の冷媒の状態（主に圧力又は温度）を検出するための複数の室外側センサ１９が配置されている。室外側センサ１９は、圧力センサや、サーミスタ又は熱電対等の温度センサである。室外側センサ１９には、例えば、圧縮機１２の吸入側における冷媒の圧力である吸入圧力を検出する吸入圧力センサ、圧縮機１２の吐出側における冷媒の圧力である吐出圧力を検出する吐出圧力センサ、及び室外熱交換器１５における冷媒の温度を検出する温度センサ等が含まれる。
【００４４】
また、室外ユニット１０は、室外ユニット１０に含まれる各機器の動作・状態を制御する室外ユニット制御部２０を有している。室外ユニット制御部２０は、ＣＰＵやメモリ等を有するマイクロコンピュータや、各種電気部品（例えばコンデンサ、半導体素子及びコイル部品等）を含んでいる。室外ユニット制御部２０は、室外ユニット１０に含まれる各機器（１２、１４、１６、１８等）や室外側センサ１９と電気的に接続されており、互いに信号の入出力を行う。また、室外ユニット制御部２０は、各室内ユニット３０の室内ユニット制御部３５やリモコン（図示省略）と制御信号等の送受信を行う。室外ユニット制御部２０は、後述の電装品箱５０に収容されている。
【００４５】
室外ユニット１０の構造の詳細については、後述する。
【００４６】
（１−２）室内ユニット３０
室内ユニット３０は、室内（居室や天井裏空間等）に設置されており、冷媒回路ＲＣの一部（室内側回路ＲＣ２）を構成している。室内ユニット３０は、室内側回路ＲＣ２を構成する機器として、主として、室内膨張弁３１及び室内熱交換器３２等を有している。
【００４７】
室内膨張弁３１は、開度制御が可能な電動弁であり、開度に応じて流入する冷媒を減圧する又は流量調節する。
【００４８】
室内熱交換器３２は、冷媒の蒸発器又は凝縮器（又は放熱器）として機能する熱交換器である。
【００４９】
また、室内ユニット３０は、対象空間内の空気を吸入し、室内熱交換器３２を通過させ冷媒と熱交換させた後に、対象空間に再び送るための室内ファン３３を有している。室内ファン３３は、駆動源である室内ファンモータを含む。室内ファン３３は、駆動時に、室内空気流を生成する。室内空気流は、対象空間から室内ユニット３０内へ流入して室内熱交換器３２を通過して対象空間へ吹き出される空気の流れである。室内空気流は、室内熱交換器３２を流れる冷媒の加熱源又は冷却源であり、室内熱交換器３２を通過する際に室内熱交換器３２内の冷媒と熱交換を行う。
【００５０】
また、室内ユニット３０は、室内ユニット３０に含まれる機器（３５等）の動作・状態を制御する室内ユニット制御部３５を有している。室内ユニット制御部３５は、ＣＰＵやメモリ等を含むマイクロコンピュータや、各種電気部品を有している。
【００５１】
（１−３）液側連絡配管Ｌ１、ガス側連絡配管Ｇ１
液側連絡配管Ｌ１及びガス側連絡配管Ｇ１は、室外ユニット１０及び各室内ユニット３０を接続する冷媒連絡配管であり、現地にて施工される。液側連絡配管Ｌ１及びガス側連絡配管Ｇ１の配管長や配管径については、設計仕様や設置環境に応じて適宜選定される。
【００５２】
（２）冷媒回路ＲＣにおける冷媒の流れ
以下、冷媒回路ＲＣにおける冷媒の流れについて説明する。空調システム１００では、主として、正サイクル運転と逆サイクル運転が行われる。ここでの冷凍サイクルにおける低圧は、圧縮機１２の吸入される冷媒の圧力（吸入圧力）であり、冷凍サイクルにおける高圧は、圧縮機１２から吐出される冷媒の圧力（吐出圧力）である。
【００５３】
（２−１）正サイクル運転時の冷媒の流れ
正サイクル運転（冷房運転等）時には、四路切換弁１４が正サイクル状態（図１の四路切換弁１４の実線で示される状態）に制御される。正サイクル運転が開始されると、室外側回路ＲＣ１内において、冷媒が圧縮機１２に吸入されて圧縮された後に吐出される。圧縮機１２では、運転中の室内ユニット３０で要求される熱負荷に応じた容量制御が行われる。具体的には、吸入圧力の目標値が室内ユニット３０で要求される熱負荷に応じて設定され、吸入圧力が目標値になるように圧縮機１２の運転周波数が制御される。圧縮機１２から吐出されたガス冷媒は、室外熱交換器１５に流入する。
【００５４】
室外熱交換器１５に流入したガス冷媒は、室外熱交換器１５において、室外ファン１８によって送られる室外空気流ＡＦと熱交換を行って放熱して凝縮する。室外熱交換器１５から流出した冷媒は、室外膨張弁１６を通過して室外膨張弁１６の開度に応じて減圧又は流量調整された後、室外側回路ＲＣ１から流出する。室外側回路ＲＣ１から流出した冷媒は、液側連絡配管Ｌ１を経て運転中の室内ユニット３０の室内側回路ＲＣ２に流入する。
【００５５】
運転中の室内ユニット３０の室内側回路ＲＣ２に流入した冷媒は、室内膨張弁３１に流入し、室内膨張弁３１の開度に応じて冷凍サイクルにおける低圧になるまで減圧された後、室内熱交換器３２に流入する。室内熱交換器３２に流入した冷媒は、室内ファン３３によって送られる室内空気流と熱交換を行って蒸発し、ガス冷媒になり、室内熱交換器３２から流出する。室内熱交換器３２から流出したガス冷媒は、室内側回路ＲＣ２から流出する。
【００５６】
室内側回路ＲＣ２から流出した冷媒は、ガス側連絡配管Ｇ１を経て、室外側回路ＲＣ１に流入する。室外側回路ＲＣ１に流入した冷媒は、アキュームレータ１１に流入する。アキュームレータ１１に流入した冷媒は、一時的に溜められた後、再び圧縮機１２に吸入される。
【００５７】
（２−２）逆サイクル運転時の冷媒の流れ
逆サイクル運転（暖房運転等）時には、四路切換弁１４が逆サイクル状態（図１の四路切換弁１４の破線で示される状態）に制御される。逆サイクル運転が開始されると、室外側回路ＲＣ１内において、冷媒が圧縮機１２に吸入されて圧縮された後に吐出される。圧縮機１２では、正サイクル運転同様、運転中の室内ユニット３０で要求される熱負荷に応じた容量制御が行われる。圧縮機１２から吐出されたガス冷媒は、室外側回路ＲＣ１から流出し、ガス側連絡配管Ｇ１を経て運転中の室内ユニット３０の室内側回路ＲＣ２に流入する。
【００５８】
室内側回路ＲＣ２に流入した冷媒は、室内熱交換器３２に流入して、室内ファン３３によって送られる室内空気流と熱交換を行って凝縮する。室内熱交換器３２から流出した冷媒は、室内膨張弁３１に流入し、室内膨張弁３１の開度に応じて冷凍サイクルにおける低圧になるまで減圧された後、室内側回路ＲＣ２から流出する。
【００５９】
室内側回路ＲＣ２から流出した冷媒は、液側連絡配管Ｌ１を経て室外側回路ＲＣ１に流入する。室外側回路ＲＣ１に流入した冷媒は、室外熱交換器１５の液側出入口に流入する。
【００６０】
室外熱交換器１５に流入した冷媒は、室外熱交換器１５において、室外ファン１８によって送られる室外空気流ＡＦと熱交換を行って蒸発する。室外熱交換器１５のガス側出入口から流出した冷媒は、アキュームレータ１１に流入する。アキュームレータ１１に流入した冷媒は、一時的に溜められた後、再び圧縮機１２に吸入される。
【００６１】
（３）室外ユニット１０の詳細
図２は、正面側から見た室外ユニット１０の斜視図である。図３は、背面側から見た室外ユニット１０の斜視図である。図４は、室外ユニット１０の概略分解図である。
【００６２】
（３−１）室外ユニットケーシング４０
室外ユニット１０は、外郭を構成し、各機器（１１、１２、１３、１４、１５、１６、２０等）を収容する室外ユニットケーシング４０を有している。室外ユニットケーシング４０（特許請求の範囲記載の「ケーシング」に相当）は、複数の板金部材が組み上げられることによって、略直方体形状に形成されている。室外ユニットケーシング４０の左側面、右側面及び背面の大部分は開口であり、係る開口が室外空気流ＡＦを吸い込むための吸気口４０１として機能する。
【００６３】
室外ユニットケーシング４０は、主として、一対の据付脚４１と、底フレーム４３と、複数（ここでは４本）の支柱４５と、前面パネル４７と、ファンモジュール４９と、を有している。
【００６４】
据付脚４１は、左右方向に延び、底フレーム４３を下方から支持する板金部材である。室外ユニットケーシング４０では、前端付近及び後端付近において据付脚４１が配置されている。
【００６５】
底フレーム４３は、室外ユニットケーシング４０の底面部分を構成する板金部材である。底フレーム４３は、一対の据付脚４１上に配置される。底フレーム４３は、平面視において略長方形状を呈している。
【００６６】
支柱４５は、底フレーム４３の角部分から鉛直方向に延びる。図２―４では、底フレーム４３の４つの角部分のそれぞれから、支柱４５が鉛直方向に延びる様子が示されている。
【００６７】
前面パネル４７は、室外ユニットケーシング４０の正面部分を構成する板金部材である。より詳細には、前面パネル４７は、第１前面パネル４７ａ及び第２前面パネル４７ｂを含む。第１前面パネル４７ａは、室外ユニットケーシング４０の正面左側部分を構成する。第２前面パネル４７ｂは、室外ユニットケーシング４０の正面右側部分を構成する。第１前面パネル４７ａ及び第２前面パネル４７ｂは、室外ユニットケーシング４０に位置決めされた後、支柱４５に対してビスで締結されることで個別に固定されている。
【００６８】
ファンモジュール４９は、各支柱４５の上端近傍に取り付けられている。ファンモジュール４９は、室外ユニットケーシング４０の前面、背面、左側面及び右側面の支柱４５よりも上側の部分と、室外ユニットケーシング４０の天面と、を構成している。ファンモジュール４９は、室外ファン１８やベルマウス４９１（図７参照）を含む。より詳細には、ファンモジュール４９は、上面及び下面が開口した略直方体形状の箱体に、室外ファン１８やベルマウス４９１が収容された集合体である。ファンモジュール４９において、室外ファン１８は、回転軸が鉛直方向に延びるような姿勢で配置されている。ファンモジュール４９の上面部分は、開放しており、室外ユニットケーシング４０から室外空気流ＡＦを吹き出させる吹出口４０２として機能する。吹出口４０２には、格子状のグリル４９２が設けられている。
【００６９】
なお、図２−４においては、室外ユニット１０が１つのファンモジュール４９を有する例について示されているが、室外ユニット１０は複数のファンモジュール４９を有していてもよい。例えば、図５に示される室外ユニット１０´のように、２つのファンモジュール４９を有していてもよい。図５に示される室外ユニット１０´では、２つのファンモジュール４９が左右に並んで配置される様子が示されている。室外ユニット１０´は、１つのファンモジュール４９を有する室外ユニット１０よりも寸法が大きい室外ユニットケーシング４０´を有しており、前面パネル４７を左右に１つずつ有している。また、図示は省略するが、室外ユニット１０´では、室外ユニットケーシング４０´の寸法に応じて、室外ユニット１０よりも室外熱交換器１５の寸法が大きく構成される。
【００７０】
（３−２）底フレーム４３上に配置される機器
図６は、底フレーム４３上に配置される機器の配置態様と、室外空気流ＡＦの流れ方向とを模式的に示した図である。図６に示されるように、底フレーム４３上には、アキュームレータ１１、圧縮機１２、油分離器１３及び室外熱交換器１５を含む各種機器が、所定位置に配置されている。また、底フレーム４３上には、室外ユニット制御部２０を収容する電装品箱５０が配置されている。
【００７１】
室外熱交換器１５は、室外ユニットケーシング４０の左側面、右側面及び背面に沿って配置される熱交換面１５１（図４参照）を有している。熱交換面１５１は、吸気口４０１と略同一の高さ寸法を有している。室外ユニットケーシング４０の背面及び左側面及び右側面の大部分は吸気口４０１であり、係る吸気口４０１から室外熱交換器１５の熱交換面１５１が露出している。換言すると、室外ユニットケーシング４０の背面、左側面及び右側面は、実質的に室外熱交換器１５の熱交換面１５１によって形成されているともいえる。室外熱交換器１５は、３つの熱交換面１５１を有しており、これに関連して平面視において左右に湾曲部分を有しており（正面方向に開いた）略Ｕ字形状を呈している。
【００７２】
アキュームレータ１１は、室外熱交換器１５の右側の湾曲部分の左前方において、圧縮機１２の右後方に配置されている。
【００７３】
圧縮機１２は、室外熱交換器１５の右側端部の左側において、アキュームレータ１１の左前方に配置されている。圧縮機１２は、室外ユニットケーシング４０の正面右側部分に位置している。圧縮機１２は、ファンモジュール４９（室外ファン１８）の下方に位置している。換言すると、室外ファン１８は、圧縮機１２よりも高い高さ位置に配置されている。
【００７４】
油分離器１３は、アキュームレータ１１の左側に配置されている。
【００７５】
電装品箱５０（特許請求の範囲記載の「電気部品ボックス」に相当）は、室外熱交換器１５の左側端部の右側において、圧縮機１２の左側に配置されている（図２及び図４−６を参照）。電装品箱５０は、室外ユニットケーシング４０の正面左側部分に位置している。図７は、第１前面パネル４７ａを取り外された状態における室外ユニット１０の正面側の拡大図である。図７に示されるように、電装品箱５０は、第１前面パネル４７ａを取り外された状態において正面側に露出する。これにより、第２前面パネル４７ｂを取り外すことなく第１前面パネル４７ａを取り外すだけで、電装品箱５０にアクセスできるようになっている。電装品箱５０は、前面部分を構成する前面カバー５１を有している。電装品箱５０の詳細については後述する。
【００７６】
（３−３）室外ユニットケーシング４０内における室外空気流ＡＦの流れ
図８は、室外ユニットケーシング４０内における室外空気流ＡＦの流れる態様を模式的に示した図である。図６及び図８に示されるように、室外空気流ＡＦは、室外ユニットケーシング４０の左側面、右側面及び背面に形成された吸気口４０１から室外ユニットケーシング４０内に流入し、室外熱交換器１５（熱交換面１５１）を通過した後、主として下方から上方に向かって流れ、吹出口４０２から流出する。すなわち、室外空気流ＡＦは、吸気口４０１を介して室外ユニットケーシング４０内に水平方向に沿って流入し、室外熱交換器１５を通過した後、上方向に転回して吹出口４０２に向かって下方から上方に向かって流れる。
【００７７】
なお、以下の説明において、室外ユニットケーシング４０内において室外空気流ＡＦの主たる流路が形成される空間（図６では、室外熱交換器１５及び前面パネル４７で囲われる空間）を「送風空間Ｓ１」と称する。
【００７８】
（４）電装品箱５０の詳細
図９は、（前面カバー５１を取り外した状態の）電装品箱５０の正面図である。図１０は、図９に示される電装品箱５０の背面図である。図１１は、図９に示される電装品箱５０の右側面図である。
【００７９】
（４―１）電装品箱５０内に形成される空間及び電装品箱５０内に配置される機器
電装品箱５０は、幅方向（ここでは左右方向）及び奥行き方向（ここでは前後方向）の寸法よりも高さ方向（上下方向）の寸法が大きい略直方体状の金属製の箱である。電装品箱５０内の空間（以下、「内部空間ＳＰ」と称する）には、室外ユニット制御部２０を構成する各種電気部品Ｅ１（後述の弱電部品９０及び強電部品９５を含む）が収容されている。
【００８０】
内部空間ＳＰには、下部空間ＳＰ１と、下部空間ＳＰ１の上方に位置する上部空間ＳＰ２と、が含まれている。なお、下部空間ＳＰ１と上部空間ＳＰ２とは仕切られることなく連通しており、両者の間に明確な境界はない。
【００８１】
下部空間ＳＰ１は、内部空間ＳＰの下端（電装品箱５０の底面部分）から、所定の高さ寸法（内部空間ＳＰの高さ寸法の略３分の２程度の寸法）を占める空間である。下部空間ＳＰ１には、端子台６０やリアクタ６１等の電気部品Ｅ１が配置されている。
【００８２】
上部空間ＳＰ２は、下部空間ＳＰ１の上端から内部空間ＳＰの上端（電装品箱５０の天面部分）までを占める空間である。上部空間ＳＰ２には、上部空間ＳＰ２を奥行き方向（前後）に２つの空間に仕切る鉛直板５０１が配置されている。鉛直板５０１は、鉛直方向に延びる板金である。鉛直板５０１は、上部空間ＳＰ２を、前側上部空間ＳＰ２ａと、前側上部空間ＳＰ２ａの背面側に位置する後側上部空間ＳＰ２ｂと、に仕切る。前側上部空間ＳＰ２ａと、後側上部空間ＳＰ２ｂと、は電装品箱５０の奥行き方向に並ぶ。
【００８３】
前側上部空間ＳＰ２ａには、ＣＰＵや各種メモリ等を含むマイクロコンピュータや通信モジュール等の電気部品Ｅ１を実装された複数（ここでは２つ）の制御基板７１（特許請求の範囲記載の「基板」に相当）が収容されている。各制御基板７１は、鉛直板５０１の前面部分に固定されている。各制御基板７１は、その主面が正面方向に面する姿勢（すなわち厚み方向が前後方向に延びる姿勢）で固定されている。
【００８４】
図１２は、鉛直板５０１（制御基板７１）を取り外した状態の電装品箱５０の正面図である（図１２において弱電配線及び強電配線については一部省略されている）。図１３は、図１２に示される電装品箱５０の正面斜視図である。
【００８５】
後側上部空間ＳＰ２ｂには、室外ユニット１０に配置されるアクチュエータの駆動状態を制御するための各種電気部品Ｅ１を実装された基板ユニット７５（特許請求の範囲記載の「基板」に相当）が収容されている。具体的に、基板ユニット７５は、圧縮機１２をインバータ制御するための電気部品Ｅ１（以下、「圧縮機制御用電気部品６３」と称する）を実装される圧縮機制御用電気部品実装部分７５ａと、室外ファン１８の駆動状態を制御するための電気部品Ｅ１（以下、「ファン制御用電気部品６６」と称する）を実装されるファン制御用電気部品実装部分７５ｂと、を含む。
【００８６】
本実施形態において、圧縮機制御用電気部品６３については、基板ユニット７５の一部である圧縮機制御基板７６に実装されている。すなわち、本実施形態では、圧縮機制御用電気部品実装部分７５ａは、圧縮機制御基板７６に配置されている。また、ファン制御用電気部品６６については、基板ユニット７５の一部であるファン制御基板７７に実装されている。すなわち、本実施形態では、ファン制御用電気部品実装部分７５ｂは、ファン制御基板７７に配置されている。
【００８７】
圧縮機制御用電気部品６３は、例えば、圧縮機制御基板７６の前側主面に実装される平滑コンデンサやダイオードブリッジ等である。また、圧縮機制御用電気部品６３には、インバータを構成する各種電気部品Ｅ１（例えば、ＩＧＢＴ等のスイッチング素子を含むパワーデバイス）が含まれる。より詳細には、圧縮機制御基板７６（圧縮機制御用電気部品実装部分７５ａ）においては、複数（６つ）のパワーデバイスが一体に構成されたパワーモジュール６５が実装されている。パワーモジュール６５は、圧縮機制御基板７６の後側主面に実装されている。なお、パワーモジュール６５は、通電時における発熱量が他の電気部品Ｅ１と比べて特に大きい。パワーモジュール６５は、例えば複数のパワーデバイスを含むＩＰＭである。パワーモジュール６５は、ファン制御用電気部品６６よりも高い高さ位置に配置される。
【００８８】
また、ファン制御用電気部品６６は、例えばコンデンサ、ダイオード、及びリレー等のスイッチである。なお、図１２及び図１３においては、室外ユニット１０において室外ファン１８が２つ配置される場合（例えば図５に示される室外ユニット１０´）を想定して、室外ファン１８と１対１に対応するファン制御基板７７（ファン制御用電気部品実装部分７５ｂ）が、後側上部空間ＳＰ２ｂにおいて左右に２つ並べられている。
【００８９】
後側上部空間ＳＰ２ｂには、圧縮機制御基板７６に実装された圧縮機制御用電気部品６３（主にパワーモジュール６５）を冷却するための第１冷却ユニット８０が、圧縮機制御基板７６の背面側に配置されている。第１冷却ユニット８０は、設置状態において、パワーモジュール６５と熱的に接続される。第１冷却ユニット８０は、室外空気流ＡＦと熱交換を行う複数の第１冷却ユニットフィン８１を有している。第１冷却ユニットフィン８１は、設置状態において、室外空気流ＡＦの流路上に位置する。
【００９０】
また、後側上部空間ＳＰ２ｂには、ファン制御基板７７に実装されたファン制御用電気部品６６を冷却するための第２冷却ユニット８５が配置されている。より具体的には、後側上部空間ＳＰ２ｂには、ファン制御基板７７と同数（ここでは２つ）の第２冷却ユニット８５が配置されている。第２冷却ユニット８５はいずれかのファン制御基板７７と１対１に対応しており、対応するファン制御基板７７の背面側に配置されている。第２冷却ユニット８５は、設置状態において、ファン制御用電気部品６６と熱的に接続される。第２冷却ユニット８５は、室外空気流ＡＦと熱交換を行う複数の第２冷却ユニットフィン８６を有している。第２冷却ユニットフィン８６は、設置状態において、室外空気流ＡＦの流路上に位置する。
【００９１】
なお、以下の説明においては、制御基板７１に実装される電気部品Ｅ１を「弱電部品９０」（特許請求の範囲記載の「第２電気部品」に相当）と称し、基板ユニット７５に実装される電気部品Ｅ１を「強電部品９５」（特許請求の範囲記載の「第１電気部品」に相当）と称する。
【００９２】
電装品箱５０には、複数の電気配線が引き込まれる。電装品箱５０に引き込まれる電気配線としては、例えば、弱電部品９０と、弱電部品９０に対応する機器（例えば、各室外側センサ１９等）と、を接続する配線（以下、「弱電配線９１」と称する）が含まれる。また、電装品箱５０に引き込まれる電気配線としては、例えば、強電部品９５と、強電部品９５に対応する機器（例えば、圧縮機１２や室外ファン１８等）と、を接続する配線（以下、「強電配線９６」と称する）が含まれる。
【００９３】
弱電配線９１（特許請求の範囲記載の「第２電気配線」に相当）は、主として、機器（例えばセンサやマイクロコンピュータ）間で送受信される制御信号を送るための配線である。弱電配線９１は、弱電部品９０と対応機器との間で電圧（又はそれに関する電流）を供給される。
【００９４】
強電配線９６（特許請求の範囲記載の「第１電気配線」に相当）は、主として、機器（例えばモータ等のアクチュエータやヒータ）の動作エネルギーとなる電源供給を行うための配線である。強電配線９６は、強電部品９５と対応機器との間で電圧（又はそれに関する電流）を供給される。
【００９５】
弱電配線９１に供給される電圧及び電流の値は、強電配線９６に供給される電圧及び電流の値よりも小さい。なお、弱電配線９１及び強電配線９６に供給される電圧及び電流の値は、設計仕様や設置環境に応じて適宜選定されるが、ここでは、弱電配線９１には１５Ｖ以下の電圧（またはそれに関する電流）が供給され、強電配線９６には５０Ｖ以上の電圧（またはそれに関する電流）が供給される。
【００９６】
（４―２）電装品箱５０の構成態様
電装品箱５０は、構成部材として、前面カバー５１（図７参照）と、本体フレーム５２（図１４−１５参照）と、を有している。
【００９７】
（４―２−１）前面カバー５１
前面カバー５１は、電装品箱５０の正面部分を構成する略長方形状の板状部材である。前面カバー５１は、電装品箱５０の幅寸法及び高さ寸法と略同一の幅寸法及び高さ寸法を有する。
【００９８】
（４―２−２）本体フレーム５２
図１４は、本体フレーム５２の正面斜視図である。図１５は、図１４とは異なる方向から見た本体フレーム５２の正面斜視図である。図１６は、（天面カバー５３を取り外した状態の）電装品箱５０の上面図である。
【００９９】
本体フレーム５２は、電装品箱５０の本体部分を構成する金属製の筐体である。本体フレーム５２は、電装品箱５０の背面部分を構成する背面部５２１と、電装品箱５０の左側面部分を構成する左側面部５２２と、電装品箱５０の右側面部分を構成する右側面部５２３と、電装品箱５０の天面部分を構成する天面部５２４と、有している。
【０１００】
背面部５２１は、前面カバー５１と略同一の寸法の略長方形状を呈している。左側面部５２２は、略長方形状を呈しており、背面部５２１の左側端部から前方に延びている。右側面部５２３は、略長方形状を呈しており、背面部５２１の右側端部から前方に延びている。天面部５２４は、略長方形状を呈しており、背面部５２１、左側面部５２２及び右側面部５２３の上端部分に接続されている。背面部５２１、左側面部５２２及び右側面部５２３の下端部分は、本体フレーム５２が、室外ユニットケーシング４０の底フレーム４３上で倒立可能なように、水平方向に折り曲げられ底フレーム４３に沿って延びている。
【０１０１】
本体フレーム５２（背面部５２１）には、複数の穴が形成されている。具体的には、本体フレーム５２には、第１冷却ユニット８０に含まれる放熱フィン（第１冷却ユニットフィン８１）を送風空間Ｓ１に露出させるための第１穴５２ａが形成されている。第１穴５２ａは、第１冷却ユニット８０及び圧縮機制御基板７６の設置位置に対応する位置に形成されている。
【０１０２】
また、本体フレーム５２（背面部５２１）には、第２冷却ユニット８５に含まれる放熱フィン（第２冷却ユニットフィン８６）を送風空間Ｓ１に露出させるための第２穴５２ｂが、第２冷却ユニット８５と同数（ここでは２つ）形成されている。第２穴５２ｂは、いずれかの第２冷却ユニット８５と１対１に対応しており、対応する第２冷却ユニット８５に含まれる放熱フィンを露出させる。第２穴５２ｂは、第１穴５２ａの下方において、対応する第２冷却ユニット８５及びファン制御基板７７の設置位置に対応する位置に形成されている。
【０１０３】
また、本体フレーム５２（右側面部５２３）には、電装品箱５０内に弱電配線９１及び強電配線９６を、電装品箱５０内に引き込むための第３穴５２ｃ（特許請求の範囲記載の「配線通し穴」に相当）が形成されている。第３穴５２ｃは、上部空間ＳＰ２に対応する位置において、右側面部５２３の一部が略Ｕ字状又は略Ｃ字状に切り欠かれることで形成されている。本実施形態において、第３穴５２ｃは、基板ユニット７５（より詳細には圧縮機制御基板７６）の上端よりも低い高さ位置であって下端よりも高い高さ位置に配置されている。第３穴５２ｃの詳細並びに配線の引込態様については後述する。
【０１０４】
また、本体フレーム５２（右側面部５２３）には、強電配線９６（特に圧縮機１２に接続される電力線）を電装品箱５０内に引き込むための第４穴５２ｄが形成されている。第４穴５２ｄは、第３穴５２ｃの上方において、右側面部５２３の一部が略Ｏ字状に打ち抜かれることで形成されている。本実施形態において、第４穴５２ｄを介して電装品箱５０内に引き込まれる強電配線９６は、圧縮機１２に対して３相２００Ｖの電圧を供給するための３本の電気配線である。
【０１０５】
また、本体フレーム５２（天面部５２４）には、電装品箱５０内の空気を排出する「排気口」として機能する複数の第５穴５２ｅが形成されている。本実施形態において、第５穴５２ｅは、左右方向に延びるスリットである。天面部５２４においては、奥行き方向（前後方向）に並ぶ複数の第５穴５２ｅが、幅方向（左右方向）に２列に並ぶように形成されている（図１６参照）。電装品箱５０が室外ユニットケーシング４０内に設置状態において、第５穴５２ｅは、室外ファン１８よりも低い高さ位置であって、第１冷却ユニット８０の放熱フィン（後述の第１冷却ユニットフィン８１）よりも高い高さ位置に位置する。各第５穴５２ｅにはバーリング加工が施されており、各第５穴５２ｅの縁部分（縁部５２ｅ１）は上方向に立ち上がっている（図１６参照）。係る縁部５２ｅ１により、天面部５２４の上面に液体が付着した場合であっても、第５穴５２ｅを介して液体が内部空間ＳＰに流入することが抑制されている。
【０１０６】
また、本体フレーム５２（背面部５２１）には、メンテナンス時等にサービスマンが圧縮機１２にアクセスするための第６穴５２ｆが、下端付近に形成されている。
【０１０７】
（５）カバーユニット５６
電装品箱５０の外面には、内部空間ＳＰへの液体の浸入を抑制するカバーユニット５６（特許請求の範囲記載の「カバー部」に相当）が配置されている。電装品箱５０に配置されるカバーユニット５６には、第１穴５２ａ及び第３穴５２ｃから内部空間ＳＰへの液体の浸入を抑制する天面カバー５３、右側面部５２３に形成された第３穴５２ｃから内部空間ＳＰへの液体の浸入を抑制する第１側面カバー５４、及び第４穴５２ｄから内部空間ＳＰへの液体の浸入を抑制する第２側面カバー５５が含まれる。
【０１０８】
（５−１）天面カバー５３
図１７は、天面カバー５３の斜視図である。図１８は、図１７とは異なる方向から見た天面カバー５３の斜視図である。
【０１０９】
天面カバー５３（特許請求の範囲記載の「第２カバー部材」に相当）は、電装品箱５０の天面部５２４に形成された第５穴５２ｅを介して液体が内部空間ＳＰに流入することを抑制するべく、本体フレーム５２の上端部分を上方から覆う板金部材である。天面カバー５３は、第５穴５２ｅから上方に間隔を置いて配置される。天面カバー５３は、上カバー部５３１と、左側方カバー部５３２と、右側方カバー部５３３と、庇部５３４を有している。
【０１１０】
上カバー部５３１は、本体フレーム５２の天面部５２４（第５穴５２ｅ）を上方から覆う部分である。上カバー部５３１は、平面視において、略長方形状を呈しており、本体フレーム５２の天面部５２４よりも大きい面積を有している。
【０１１１】
左側方カバー部５３２は、本体フレーム５２の左側面部５２２の上端付近部分を外側から覆う。左側方カバー部５３２は、上カバー部５３１の左端部から下方へ延びる部分である。
【０１１２】
右側方カバー部５３３は、本体フレーム５２の右側面部５２３の上端付近部分を外側から覆う。右側方カバー部５３３は、上カバー部５３１の右端部から下方へ延びる部分である。右側方カバー部５３３には、第４穴５２ｄに重畳する位置に開口５３ａが形成されている。
【０１１３】
庇部５３４は、右側方カバー部５３３の下端部分から右方向に向かって連続的に延びる板状の部分である。庇部５３４は、第３穴５２ｃ及び第１側面カバー５４の上方に位置しており、右側方カバー部５３３とともに、第３穴５２ｃ及び第１側面カバー５４の周囲を上方から覆う。より具体的には、庇部５３４は、右側方カバー部５３３とともに、第１側面カバー５４と電装品箱５０（右側面部５２３）との当接部分を上方から覆う。これにより、第１側面カバー５４と電装品箱５０（右側面部５２３）との間に隙間が形成された場合であっても、係る隙間を介して電装品箱５０内に液体が浸入することが抑制される。なお、後述するが、庇部５３４は、第１側面カバー５４の上部５４４の傾斜角度に沿って、後方に向かって下がり勾配を形成するように傾斜している。
【０１１４】
（５−２）第１側面カバー５４
図１９は、第１側面カバー５４の斜視図である。図２０は、図１９とは異なる方向から見た第１側面カバー５４の斜視図である。図２１は、右方向から見た第１側面カバー５４の斜視図である。図２２は、左方向から見た第１側面カバー５４の斜視図である。
【０１１５】
第１側面カバー５４（特許請求の範囲記載の「第１カバー部材」に相当）は、本体フレーム５２の右側面部５２３に形成された第３穴５２ｃを介して液体が内部空間ＳＰに流入することを抑制するべく、第３穴５２ｃの周囲（上方及び側方）に配置され、第３穴５２ｃを外側から（上方及び側方から）覆う板金部材である。第１側面カバー５４は、右側部５４１と、前側部５４２と、後側部５４３と、上部５４４と、後側折曲部５４５と、前側折曲部５４６と、上側折曲部５４７を有している。
【０１１６】
右側部５４１は、第３穴５２ｃを右方から覆う部分である。右側部５４１は、略長方形状を呈している。
【０１１７】
前側部５４２は、第３穴５２ｃを前方から覆う部分である。前側部５４２は、略長方形状を呈している。
【０１１８】
後側部５４３は、第３穴５２ｃを後方から覆う部分である。後側部５４３は、略長方形状を呈している。
【０１１９】
上部５４４は、第３穴５２ｃを上方から覆う部分である。上部５４４は、略長方形状を呈している。
【０１２０】
後側折曲部５４５は、後側部５４３の左側端部が略直角に折り曲げられた略長方形状の部分である。後側折曲部５４５は、後側部５４３の左側端部から正面方向に向かって延びる。後側折曲部５４５は、設置状態において、左側の主面において、電装品箱５０の右側面部５２３の外面に当接する。後側折曲部５４５は、設置状態において、電装品箱５０の右側面部５２３との間に隙間が形成されることを抑制するべく、左側の面において、シール部材５７（図２５参照）を貼り付けられる。
【０１２１】
前側折曲部５４６は、前側部５４２の左側端部が略直角に折り曲げられた略長方形状の部分である。前側折曲部５４６は、前側部５４２の左側端部から正面方向に向かって延びる。前側折曲部５４６は、設置状態において、左側の主面において、電装品箱５０の右側面部５２３の外面に当接する。前側折曲部５４６は、設置状態において、電装品箱５０の右側面部５２３との間に隙間が形成されることを抑制するべく、左側の面において、シール部材５８（図２５参照）を貼り付けられる。
【０１２２】
上側折曲部５４７は、上部５４４の左側端部が略直角に折り曲げられた略長方形状の部分である。上側折曲部５４７は、上部５４４の左側端部から上方向に向かって延びる。上側折曲部５４７は、設置状態において、右側の主面において、電装品箱５０の右側面部５２３の内面に当接する。すなわち、上側折曲部５４７は、設置状態において、電装品箱５０内（内部空間ＳＰ）に位置する。上側折曲部５４７は、設置状態において、電装品箱５０の右側面部５２３との間に隙間が形成されることを抑制するべく、右側の面において、シール部材（図示省略）を貼り付けられる。
【０１２３】
第１側面カバー５４は、底部分が抜けており開放している。すなわち、第１側面カバー５４には、下方に開放する開放部分５４ａが形成されている。開放部分５４ａは、第３穴５２ｃを介して内部空間ＳＰに引き込まれる電気配線（弱電配線９１及び強電配線９６）を通すための「下開口」として機能する。すなわち、弱電配線９１及び強電配線９６は、開放部分５４ａを介して、第１側面カバー５４内及び内部空間ＳＰに引き込まれる。
【０１２４】
第１側面カバー５４は、上側折曲部５４７がシール部材を介して第３穴５２ｃの上縁の内面側に当接する姿勢で第３穴５２ｃに差し込まれた後、後側折曲部５４５及び前側折曲部５４６が第３穴５２ｃの前端及び後端の外側に位置するように、本体フレーム５２の右側面部５２３にビス止めされて固定される。
【０１２５】
第１側面カバー５４の上部５４４は、設置状態において、上面に液体が付着した場合に、第３穴５２ｃに流入することなく後方へと流れ落ちるように、後方に向かって下がり勾配を形成するように傾斜している（図２３参照）。図２３は、図１１のＡ部分の拡大図である。図２３では、第１側面カバー５４は、設置状態において、水平線ｈ１に対して角度θ１に相当する角度分、上部５４４が傾斜している様子が示されている。なお、角度θ１は、設計仕様や設置環境に応じて適宜設定されうるが、ここでは１５度に設定されている。
【０１２６】
（５−３）第２側面カバー５５
第２側面カバー５５は、本体フレーム５２の右側面部５２３に形成される第４穴５２ｄを介して液体が内部空間ＳＰに流入することを抑制するべく、本体フレーム５２の第４穴５２ｄを外側から（上方及び側方から）覆うカバーである。第２側面カバー５５は、一般に普及している汎用品である。第２側面カバー５５には、圧縮機１２に接続される電力線（強電配線９６）を通すための開口が複数（ここでは３つ）形成されている。
【０１２７】
（６）第３穴５２ｃの詳細並びに配線の引込態様
図２４は、図２３に示される状態を背面側から見た斜視図である。図２５は、図２３に示される状態において第１側面カバー５４を省略した図である。図２６は、図２５に示される状態を背面側から見た斜視図である。
【０１２８】
図２３−２６においては、電装品箱５０内に、第３穴５２ｃを介して弱電配線９１及び強電配線９６が引き込まれ、第４穴５２ｄを介して強電配線９６が引き込まれる様子が示されている。
【０１２９】
また、第３穴５２ｃを介して電装品箱５０内に引き込まれる弱電配線９１は、多数（ここでは１１０本）であり、結束バンド等で束ねられている。すなわち、電装品箱５０内に引き込まれる弱電配線９１は、多数の弱電配線９１が束ねられた弱電配線群である。
【０１３０】
また、第３穴５２ｃを介して電装品箱５０内に引き込まれる強電配線９６は、多数（ここでは３６本）であり、結束バンド等で束ねられている。すなわち、電装品箱５０内に引き込まれる強電配線９６は、多数の強電配線９６が束ねられた強電配線群である。
【０１３１】
ここで、弱電配線９１は、強電配線９６と所定距離（例えば３ｃｍ）以上近接するとノイズが生じやすい。これを踏まえて、電装品箱５０では、図２３−２６に示されるように、弱電配線９１と強電配線９６とは、分かれて別々に第３穴５２ｃに引き込まれ、両者はノイズに関する信頼性が担保される距離で離間している。
【０１３２】
本実施形態では、係る態様で弱電配線９１と強電配線９６とが引き込まれることを促進するために、複数の部材が配置されている。例えば、電装品箱５０（右側面部５２３）には、第３穴５２ｃに引き込まれる弱電配線９１と強電配線９６とが近接することを抑制する仕切部９８が配置されている。仕切部９８は、厚み方向が前後方向であり鉛直方向及び左右方向に沿って延びる仕切板９８１を有している。仕切部９８は、係る仕切板９８１によって、弱電配線９１と強電配線９６とを仕切っており、両者が近接することを抑制している。
【０１３３】
また、複数の弱電配線９１を束ねて強電配線９６から離れた位置に固定する第１クランプ９９ａ、及び複数の強電配線９６を束ねて固定する第２クランプ９９ｂが、第１側面カバー５４の右側部５４１の上端付近において前後に配置されている。
【０１３４】
なお、第３穴５２ｃは、概念的には、図２５及び図２６に示すように、強電配線９６を引き込むための強電配線通し穴Ｈ１（特許請求の範囲記載の「第１開口」に相当）と、弱電配線９１を引き込むための弱電配線通し穴Ｈ２（特許請求の範囲記載の「第２開口」に相当）とが連続的に構成されていると解釈することが可能である。図２５及び図２６では、二点鎖線Ｄ１を挟んで強電配線通し穴Ｈ１及び弱電配線通し穴Ｈ２が前後に隣り合う様子が示されている。
【０１３５】
換言すると、電装品箱５０には、２つの開口（強電配線通し穴Ｈ１及び弱電配線通し穴Ｈ２）が側方に形成されていると解釈することも可能である。すなわち、第３穴５２ｃは、２つの開口（強電配線通し穴Ｈ１及び弱電配線通し穴Ｈ２）が合わさって形成された「配線通し穴」と解釈しうる。つまり、本実施形態では、第３穴５２ｃは、強電配線通し穴Ｈ１及び弱電配線通し穴Ｈ２の双方を兼ねている。
【０１３６】
そして、強電配線通し穴Ｈ１及び弱電配線通し穴Ｈ２が電装品箱５０の側面に形成されることに関連して、内部空間ＳＰへの液体の浸入対策を特に考慮する必要があるところ、本実施形態では、第１側面カバー５４によって強電配線通し穴Ｈ１と弱電配線通し穴Ｈ２とが上方から覆われていることで内部空間ＳＰへの液体の浸入が抑制されている。また、１つの第１側面カバー５４によって、強電配線９６を引き込むための強電配線通し穴Ｈ１、及び弱電配線９１を引き込むための弱電配線通し穴Ｈ２双方への液体の浸入が抑制されている。つまり、第１側面カバー５４が強電配線通し穴Ｈ１と弱電配線通し穴Ｈ２に対して共通に配置されており、これに関連してコストが抑制されている。
【０１３７】
（７）特徴
（７−１）
従来、冷凍装置の室外ユニットにおいては、圧縮機がケーシングの底板上に配置され、圧縮機に電力供給を行う電気部品についてはケーシング内に配置される電気部品ボックスに収容されるのが一般的であるところ、圧縮機に電力供給を行う電気部品と圧縮機間を結ぶ電気配線（電力供給線）に関して、長手方向の寸法を短くしてコスト抑制、ノイズ抑制又は配線取り回しの容易化を図るために、係る電気部品を収容する電気品ボックスへその側部から配線を引き込むものがある。
【０１３８】
この点、電気部品ボックスに引き込まれる電気配線については、機器（例えば圧縮機等のアクチュエータやヒータ）の動力源となる電力供給を行うための配線（強電配線）と、機器（例えばセンサやマイクロコンピュータ）間で送受信される制御信号を送るための配線（弱電配線）が存在し、弱電配線と強電配線とが近接する場合には弱電配線においてノイズが生じることが懸念される。このため、信頼性低下を抑制するために、弱電配線と強電配線とは分けて電気部品ボックスへ引き込まれるのが通常である。
【０１３９】
一方で、冷凍装置の室外ユニットでは、電気部品ボックス内への液体の浸入を防止するための対策が必要となるが、強電配線用の配線の引き込み部分、及び弱電配線用の配線の引き込み部分のそれぞれに対して係る対策を個別に行う場合には、コスト増大が懸念される。
【０１４０】
上記実施形態に係る室外ユニット１０では、電装品箱５０内への液体の浸入を抑制するカバーユニット５６が、電装品箱５０の外面において、強電配線９６を引き込むための強電配線通し穴Ｈ１及び弱電配線９１を引き込むための弱電配線通し穴Ｈ２の周囲に配置されており、強電配線通し穴Ｈ１及び弱電配線通し穴Ｈ２双方の上方及び側方を覆っている。このように、強電配線９６及び弱電配線９１を分けて電装品箱５０へ引き込みつつ、強電配線９６引き込み用の強電配線通し穴Ｈ１及び弱電配線９１引き込み用の弱電配線通し穴Ｈ２が共通のカバーユニット５６で覆われていることで、部品点数が削減されつつ、電装品箱５０内への液体の浸入を簡易且つ的確に抑制することが可能となっている。よって、信頼性低下が抑制されつつ、電装品箱５０内への液体の浸入を防止するうえでコスト増大が抑制されるようになっている。
【０１４１】
（７−２）
上記実施形態に係る室外ユニット１０では、室外ユニットケーシング４０には、上方向に室外空気流ＡＦを吹き出すための吹出口４０２が形成されており、室外ファン１８は、室外ユニットケーシング４０内において下方から上方へ向かって流れ吹出口４０２から流出する室外空気流ＡＦを生成している。室外ユニット１０では、このように上方向に室外空気流ＡＦを吹き出すための吹出口４０２を形成される場合（すなわち吹出口４０２を介して室外ユニットケーシング４０への液体の浸入が特に懸念される場合）においても、コストが抑制されつつ電装品箱５０への液体の浸入が抑制されている。
【０１４２】
（７−３）
上記実施形態に係る室外ユニット１０では、電装品箱５０又はカバーユニット５６には仕切部９８が配置されており、仕切部９８は、強電配線通し穴Ｈ１及び弱電配線通し穴Ｈ２に引き込まれる強電配線９６及び弱電配線９１を仕切っている。これにより、強電配線通し穴Ｈ１に引き込まれる強電配線９６と、弱電配線通し穴Ｈ２に引き込まれる弱電配線９１と、が近接することが抑制されている。その結果、弱電配線９１において、強電配線９６に近接することによるノイズの発生が抑制されている。
【０１４３】
（７−４）
上記実施形態に係る室外ユニット１０では、強電配線通し穴Ｈ１及び弱電配線通し穴Ｈ２は、基板ユニット７５の上端よりも低い高さ位置であって下端よりも高い高さ位置に配置されており、これに関連して、強電配線通し穴Ｈ１及び弱電配線通し穴Ｈ２が近接配置されている。その結果、カバーユニット５６が強電配線通し穴Ｈ１及び弱電配線通し穴Ｈ２の双方を覆いやすくなっており、コスト抑制が促進されている。
【０１４４】
（７−５）
上記実施形態に係る室外ユニット１０では、強電配線９６及び弱電配線９１は、強電配線通し穴Ｈ１及び弱電配線通し穴Ｈ２の双方を兼ねる第３穴５２ｃ（配線通し穴）を介して、分かれて電装品箱５０内に引き込まれている。これにより、強電配線９６及び弱電配線９１の引き込み部分の双方を共通のカバーユニット５６によって覆いやすくなっており、コスト抑制が促進されている。
【０１４５】
（７−６）
上記実施形態に係る室外ユニット１０では、強電配線通し穴Ｈ１に引き込まれる強電配線９６は１５本以上であり、弱電配線通し穴Ｈ２に引き込まれる弱電配線９１も１５本以上である。室外ユニット１０では、このように電装品箱５０内に引き込まれる電気配線の数が多く、ノイズに因る信頼性低下や、液体浸入抑制に関してコスト増大が特に懸念される場合でも、信頼性低下が抑制されており、また電装品箱５０内への液体の浸入を防止するうえでコスト増大が抑制されている。
【０１４６】
（７−７）
上記実施形態に係る室外ユニット１０では、第１側面カバー５４（カバーユニット５６）には、下方に開放する「下開口」（開放部分５４ａ）が形成されており、強電配線９６及び弱電配線９１は、「下開口」を介して第１側面カバー５４及び電装品箱５０内に引き込まれている。これにより、強電配線通し穴Ｈ１及び弱電配線通し穴Ｈ２への液体の浸入を抑制する「カバー部」を簡易に構成することが可能となっている。
【０１４７】
（７−８）
上記実施形態に係る室外ユニット１０では、カバーユニット５６は第１側面カバー５４と天面カバー５３とを含み、天面カバー５３（庇部５３４）は第１側面カバー５４の上方に位置し第１側面カバー５４を上方から覆っている。これにより、電装品箱５０内への液体の浸入がより確実に抑制されるようになっている。
【０１４８】
（８）変形例
上記実施形態は、以下の変形例に示すように適宜変形が可能である。なお、各変形例は、矛盾が生じない範囲で他の変形例と組み合わせて適用されてもよい。
【０１４９】
（８−１）変形例１
上記実施形態では、強電配線通し穴Ｈ１及び弱電配線通し穴Ｈ２の双方を兼ねる第３穴５２ｃが形成される場合（すなわち、強電配線通し穴Ｈ１及び弱電配線通し穴Ｈ２が繋がっている場合）について説明した。しかし、必ずしもこれに限定されず、強電配線通し穴Ｈ１及び弱電配線通し穴Ｈ２は必ずしも繋がっている必要はなく、それぞれ独立に形成されてもよい。
【０１５０】
例えば、図２７に示される電装品箱５０ａのように、強電配線通し穴Ｈ１及び弱電配線通し穴Ｈ２は、明確に仕切られるように、個別に形成されてもよい。係る場合でも、強電配線通し穴Ｈ１及び弱電配線通し穴Ｈ２が共通のカバーユニット５６によって、上方及び側方を外側から覆われる限り、上記実施形態と同様の作用効果が実現可能である。
【０１５１】
なお、強電配線通し穴Ｈ１及び弱電配線通し穴Ｈ２は、必ずしも水平方向に沿って並んでいる必要はなく、上下方向に沿って並んでいてもよい。係る場合、第１側面カバー５４について高さ方向の寸法を大きくすることで、１つの第１側面カバー５４で、強電配線通し穴Ｈ１及び弱電配線通し穴Ｈ２双方の上方及び側方を外側から覆うようにしてもよい。
【０１５２】
（８−２）変形例２
上記実施形態では、仕切部９８は、厚み方向が前後方向であり鉛直方向及び左右方向に沿って延びる仕切板９８１を有し、係る仕切板９８１によって、弱電配線９１と強電配線９６とを仕切ることで、両者が近接することを抑制していた。しかし、第３穴５２ｃに引き込まれる弱電配線９１と強電配線９６との距離を、弱電配線９１においてノイズが生じにくい程度に保つことが可能である限り、仕切部９８の構成態様については特に限定されない。
【０１５３】
例えば、図２８に示される電装品箱５０ｂのように、本体フレーム５２に形成される第３穴５２ｃの形成態様によって、第３穴５２ｃの縁において「仕切部」として機能するような部位「９８´」が設けられてもよい。図２８では、本体フレーム５２が、第３穴５２ｃの中央部分において部分的に残るように打ち抜かれることで、強電配線通し穴Ｈ１及び弱電配線通し穴Ｈ２の間に仕切部９８´が設けられつつ第３穴５２ｃが形成される様子が示されている。図２８のように仕切部が形成される場合、第３穴５２ｃにおいて、強電配線通し穴Ｈ１及び弱電配線通し穴Ｈ２は連通しているものの部分的に仕切られることとなる。
【０１５４】
（８−３）変形例３
上記実施形態では、第３穴５２ｃに引き込まれる弱電配線９１と強電配線９６とを仕切る仕切部９８が、電装品箱５０に配置される場合について説明した。しかし、仕切部９８は、必ずしも電装品箱５０に配置される必要はない。例えば、仕切部９８は、第１側面カバー５４の内側に配置されてもよい。
【０１５５】
また、第３穴５２ｃに引き込まれる弱電配線９１と強電配線９６との距離を、弱電配線９１においてノイズが生じにくい程度に保つことが可能であれば、必ずしも仕切部９８については必要ではなく、適宜省略が可能である。
【０１５６】
（８−４）変形例４
上記実施形態では、強電配線通し穴Ｈ１及び弱電配線通し穴Ｈ２は、基板ユニット７５の上端よりも低い高さ位置であって下端よりも高い高さ位置に配置されていた。この点、カバーユニット５６が強電配線通し穴Ｈ１及び弱電配線通し穴Ｈ２の双方を覆いやすいように強電配線通し穴Ｈ１及び弱電配線通し穴Ｈ２を近接配置する、という観点によれば、上記態様で強電配線通し穴Ｈ１及び弱電配線通し穴Ｈ２が配置されることが好ましい。
【０１５７】
しかし、強電配線通し穴Ｈ１及び弱電配線通し穴Ｈ２が共通のカバーユニット５６によって、その上方及び側方を外側から覆われる限り、必ずしも係る態様で強電配線通し穴Ｈ１及び弱電配線通し穴Ｈ２が配置される必要はない。すなわち、上記（７−１）に記載の採用効果に矛盾が生じない限り、強電配線通し穴Ｈ１及び弱電配線通し穴Ｈ２は、基板ユニット７５の上端よりも高い高さ位置に配置されてもよいし、基板ユニット７５下端よりも低い高さ位置に配置されてもよい。
【０１５８】
（８−５）変形例５
上記実施形態では、圧縮機１２から延びる強電配線９６については、他の強電配線９６とは異なる開口（第４穴５２ｄ）を介して、電装品箱５０内に独立に引き込まれていた。しかし、必ずしもこれに限定されず、圧縮機１２から延びる強電配線９６についても、他の強電配線９６ととともに、第３穴５２ｃ（強電配線通し穴Ｈ１）を介して電装品箱５０内に引き込まれるようにしてもよい。
【０１５９】
（８−６）変形例６
上記実施形態では、弱電部品９０と強電部品９５とは異なる基板に実装されていた。しかし、必ずしもこれに限定されず、信頼性が確保される限り、弱電部品９０と強電部品９５とは同一の基板に実装されてもよい。例えば、制御基板７１に実装される弱電部品９０が圧縮機制御基板７６又はファン制御基板７７に実装されてもよい。
【０１６０】
（８−７）変形例７
上記実施形態では、強電配線９６に接続される機器がアクチュエータ（圧縮機１２や室外ファン１８等）である場合について説明した。しかし、強電配線９６に接続される機器については必ずしもアクチュエータには限定されない。例えば、強電配線９６に接続される機器については、通電されることで加熱状態となる電気ヒータ等であってもよい。
【０１６１】
（８−８）変形例８
上記実施形態では、第１側面カバー５４の上方に位置して第３穴５２ｃを介した内部空間ＳＰへの液体浸入を抑制する庇部５３４は、天面カバー５３の一部として設けられた。しかし、必ずしも庇部５３４は、天面カバー５３に含まれている必要はなく、他の部材において設けられてもよいし、独立した部材として設けられてもよい。
【０１６２】
（８−９）変形例９
上記実施形態では、第４穴５２ｄからの液体浸入を抑制する第２側面カバー５５が配置されていた。しかし、信頼性の観点から必ずしも必要ではない場合には、第２側面カバー５５については適宜省略されてもよい。係る場合、第１側面カバー５４について高さ方向の寸法を大きくするとともに第４穴５２ｄの上方に配置することで、１つの第１側面カバー５４のみで、第３穴５２ｃ及び第４穴５２ｄ双方の上方及び側方を外側から覆うようにしてもよい。
【０１６３】
（８−１０）変形例１０
上記実施形態では、電装品箱５０の上方には、主として第３穴５２ｃ及び第５穴５２ｅを介した電装品箱５０への液体の浸入を抑制する天面カバー５３が、配置されていた。この点、第３穴５２ｃ及び第５穴５２ｅを介した電装品箱５０への液体の浸入をより確実に抑制するという観点によれば、係る天面カバー５３が上記実施形態における態様で構成され配置されることが好ましい。しかし、電装品箱５０への液体の浸入に対する信頼性が確保されるのであれば、必ずしも係る天面カバー５３は必要ではなく、適宜省略可能である。
【０１６４】
（８−１１）変形例１１
上記実施形態では、室外ユニット１０は、吹出口４０２が天面に形成されており、室外空気流ＡＦが室外ユニットケーシング４０内において主に下方から上方に向かって流れ吹出口４０２から上方に吹き出されるように構成された、いわゆる上吹き型の室外ユニットであった。しかし、必ずしもこれに限定されず、室外ユニット１０は、他の型式が採用されてもよい。
【０１６５】
例えば、室外ユニット１０は、吹出口４０２が正面部分に形成され、室外空気流ＡＦが吹出口４０２から水平方向に吹き出されるように構成された、いわゆる横吹き型の室外ユニットであってもよい。なお、係る場合、室外ファン１８は、生成する室外空気流ＡＦが、室外ユニットケーシング４０内において主として水平方向に流れるような姿勢（回転軸が水平方向に延びるような姿勢）で設置されてもよい。
【０１６６】
（８−１２）変形例１２
上記実施形態では、２つの室外ファン１８を有する室外ユニット１０´を想定して、電装品箱５０内でファン制御基板７７（ファン制御用電気部品６６）が左右に２つ配置される場合について説明した。しかし、例えば図２−図４に示されるように、室外ファン１８を１つのみ有する室外ユニット１０においては、ファン制御基板７７が１つのみ配置されればよい。すなわち、図１２等で示される２つのファン制御基板７７のうち、一方については適宜省略されてもよい。係る場合、省略されるファン制御基板７７に対応する第２冷却ユニット８５についても省略される。
【０１６７】
（８−１３）変形例１３
上記実施形態では、基板ユニット７５は、圧縮機制御基板７６とファン制御基板７７とを含み、圧縮機制御用電気部品実装部分７５ａは圧縮機制御基板７６に配置され、ファン制御用電気部品実装部分７５ｂはファン制御基板７７に配置されていた。すなわち、上記実施形態では、圧縮機制御用電気部品６３が圧縮機制御基板７６に実装され、ファン制御用電気部品６６がファン制御基板７７に実装されており、圧縮機制御用電気部品６３とファン制御用電気部品６６とは異なる基板に実装されていた。
【０１６８】
しかし、必ずしもこれに限定されず、圧縮機制御用電気部品６３とファン制御用電気部品６６とは同一の基板に実装されてもよい（つまり、圧縮機制御用電気部品実装部分７５ａ及びファン制御用電気部品実装部分７５ｂは同一の基板に配置されてもよい）。すなわち、基板ユニット７５は、必ずしも複数の基板を有している必要はない。
【０１６９】
（８−１４）変形例１４
上記実施形態における冷媒回路ＲＣの構成態様は、必ずしも図１に示す態様に限定されず、設計仕様や設置環境に応じて適宜変更が可能である。例えば、必ずしも必要ではない場合には、アキュームレータ１１や室外膨張弁１６については、適宜省略が可能である。また、冷媒回路ＲＣには、図１に示されない機器（例えばレシーバ等）が新たに追加されてもよい。
【０１７０】
（８−１５）変形例１５
上記実施形態では、本発明が、１台の室外ユニット１０に対して２台の室内ユニット３０が連絡配管（Ｌ１、Ｇ１）で並列に接続された空調システム１００に適用される例について説明した。しかし、本発明が適用される空調システムの構成態様は、必ずしも係る態様には限定されない。すなわち、本発明が適用される空調システムに関して、室外ユニット１０及び／又は室内ユニット３０の台数及びその接続態様については、設置環境や設計仕様に応じて適宜変更が可能である。
【０１７１】
（８−１６）変形例１６
上記実施形態において本発明は、空調システム１００に適用されていた。しかし、これに限定されず、本発明は、冷媒回路を有する他の冷凍装置（例えば給湯器やヒートポンプチラー等）にも適用可能である。
【産業上の利用可能性】
【０１７２】
本発明は、冷凍装置の室外ユニットに室内可能である。
【符号の説明】
【０１７３】
１０、１０´：室外ユニット
１２      ：圧縮機
１８      ：室外ファン（ファン）
１９      ：室外側センサ
２０      ：室外ユニット制御部
３０      ：室内ユニット
４０、４０´：室外ユニットケーシング（ケーシング）
５０、５０ａ、５０ｂ：電装品箱（電気部品ボックス）
５１      ：前面カバー
５２      ：本体フレーム
５２ａ    ：第１穴
５２ｂ    ：第２穴
５２ｃ    ：第３穴（配線通し穴）
５２ｄ    ：第４穴
５２ｅ    ：第５穴
５２ｅ１  ：縁部
５２ｆ    ：第６穴
５３      ：天面カバー（第２カバー部材）
５４      ：第１側面カバー（第１カバー部材）
５４ａ    ：開放部分（下開口）
５５      ：第２側面カバー
５６      ：カバーユニット（カバー部）
５７、５８：シール部材
６３      ：圧縮機制御用電気部品
６５      ：パワーモジュール
６６      ：ファン制御用電気部品
７１      ：制御基板（基板）
７５      ：基板ユニット（基板）
７５ａ    ：圧縮機制御用電気部品実装部分
７５ｂ    ：ファン制御用電気部品実装部分
７６      ：圧縮機制御基板（基板）
７７      ：ファン制御基板（基板）
９０      ：弱電部品（第２電気部品）
９１      ：弱電配線（第２電気配線）
９５      ：強電部品（第１電気部品）
９６      ：強電配線（第１電気配線）
９８、９８´：仕切部
９９ａ    ：第１クランプ
９９ｂ    ：第２クランプ
１００    ：空調システム
４０２    ：吹出口
５０１    ：鉛直板
５２１    ：背面部
５２２    ：左側面部
５２３    ：右側面部
５２４    ：天面部
５３１    ：上カバー部
５３２    ：左側方カバー部
５３３    ：右側方カバー部
５３４    ：庇部
５４１    ：右側部
５４２    ：前側部
５４３    ：後側部
５４４    ：上部
５４５    ：後側折曲部
５４６    ：前側折曲部
５４７    ：上側折曲部
９８１    ：仕切板
ＡＦ      ：室外空気流（空気流）
Ｅ１      ：電気部品
Ｈ１      ：強電配線通し穴（第１開口）
Ｈ２      ：弱電配線通し穴（第２開口）
ＲＣ      ：冷媒回路
Ｓ１      ：送風空間
ＳＰ      ：内部空間
ＳＰ１    ：下部空間
ＳＰ２    ：上部空間
ＳＰ２ａ  ：前側上部空間
ＳＰ２ｂ  ：後側上部空間
【先行技術文献】
【特許文献】
【０１７４】
【特許文献１】特開２００８−１４４９８２号公報
【図１】
2019032143.tif 000003
【図２】
2019032143.tif 000004
【図３】
2019032143.tif 000005
【図４】
2019032143.tif 000006
【図５】
2019032143.tif 000007
【図６】
2019032143.tif 000008
【図７】
2019032143.tif 000009
【図８】
2019032143.tif 000010
【図９】
2019032143.tif 000011
【図１０】
2019032143.tif 000012
【図１１】
2019032143.tif 000013
【図１２】
2019032143.tif 000014
【図１３】
2019032143.tif 000015
【図１４】
2019032143.tif 000016
【図１５】
2019032143.tif 000017
【図１６】
2019032143.tif 000018
【図１７】
2019032143.tif 000019
【図１８】
2019032143.tif 000020
【図１９】
2019032143.tif 000021
【図２０】
2019032143.tif 000022
【図２１】
2019032143.tif 000023
【図２２】
2019032143.tif 000024
【図２３】
2019032143.tif 000025
【図２４】
2019032143.tif 000026
【図２５】
2019032143.tif 000027
【図２６】
2019032143.tif 000028
【図２７】
2019032143.tif 000029
【図２８】
2019032143.tif 000030
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
複数の機器（１２、１８、１９、・・・）を収容するケーシング（４０、４０´）と、
第１電気部品（９５）と、第２電気部品（９０）と、を含む電気部品（Ｅ１）と、
前記ケーシング内に配置され、前記電気部品を収容する電気部品ボックス（５０、５０ａ、５０ｂ）と、
前記第１電気部品といずれかの前記機器（１２、１８、・・・）との間で電圧又は電流を供給される第１配線（９６）と、
前記第２電気部品と他のいずれかの前記機器（１９、・・・）との間で、前記第１配線に供給されるよりも小さい値の電圧又は電流を供給される第２配線（９１）と、
前記電気部品ボックス内への液体の浸入を抑制するカバー部（５６、５４、５３）と、
を備え、
前記電気部品ボックスには、前記第１配線を引き込むための第１開口（Ｈ１）と、前記第２配線を引き込むための第２開口（Ｈ２）と、が側方に形成され、
前記カバー部は、前記電気部品ボックスの外面において前記第１開口及び前記第２開口の周囲に配置され、前記第１開口及び前記第２開口双方の上方及び側方を覆う、
冷凍装置の室外ユニット（１０、１０´）。
【請求項２】
前記機器には、空気流（ＡＦ）を生成するファン（１８）が含まれ、
前記ケーシングには、上方向に前記空気流を吹き出すための吹出口（４０２）が形成され、
前記空気流は、前記ケーシング内において下方から上方へ向かって流れ前記吹出口から流出する空気の流れである、
請求項１に記載の冷凍装置の室外ユニット（１０、１０´）。
【請求項３】
前記電気部品ボックス又は前記カバー部には、前記第１開口及び前記第２開口に引き込まれる前記第１配線及び前記第２配線を仕切る仕切部（９８、９８´）が配置される、
請求項１又は２に記載の冷凍装置の室外ユニット（１０、１０´）。
【請求項４】
前記電気部品を実装される基板（７５）を備え、
前記第１開口及び前記第２開口は、前記基板の上端よりも低い高さ位置であって下端よりも高い高さ位置に配置される、
請求項１から３のいずれか１項に記載の冷凍装置の室外ユニット（１０、１０´）。
【請求項５】
前記電気部品ボックスには、前記第１開口及び前記第２開口の双方を兼ねる配線通し穴（５２ｃ）が形成され、
前記第１配線及び前記第２配線は、前記配線通し穴を介して、分かれて前記電気部品ボックス内に引き込まれ、
前記カバー部は、前記配線通し穴の周囲に配置され、前記配線通し穴の上方及び側方を覆う、
請求項１から４のいずれか１項に記載の冷凍装置の室外ユニット（１０、１０´）。
【請求項６】
前記第１開口に引き込まれる前記第１配線、及び前記第２開口に引き込まれる前記第２配線はそれぞれ１５本以上である、
請求項１から５のいずれか１項に記載の冷凍装置の室外ユニット（１０、１０´）。
【請求項７】
前記カバー部（５４）は、下方に開放する下開口（５４ａ）を形成され、
前記第１配線及び前記第２配線は前記下開口を介して前記カバー部及び前記電気部品ボックス内に引き込まれる、
請求項１から６のいずれか１項に記載の冷凍装置の室外ユニット（１０、１０´）。
【請求項８】
前記カバー部は、第１カバー部材（５４）と、第２カバー部材（５３）と、を含み、
前記第２カバー部材は、前記第１カバー部材の上方に位置し前記第１カバー部材を上方から覆う、
請求項１から７のいずれか１項に記載の冷凍装置の室外ユニット（１０、１０´）。
【手続補正２】
【補正対象書類名】明細書
【補正対象項目名】全文
【補正方法】変更
【補正の内容】
【発明の詳細な説明】
【技術分野】
【０００１】
本発明は、冷凍装置の室外ユニットに関する。
【背景技術】
【０００２】
従来、冷凍装置の室外ユニットでは、圧縮機がケーシングの底板上に配置され、圧縮機に電力供給を行う電気部品についてはケーシング内に配置される電気部品ボックスに収容されるのが一般的である。ここで、圧縮機に電力供給を行う電気部品と圧縮機間を結ぶ電気配線（電力供給線）に関して、長手方向の寸法を短くしてコスト抑制、ノイズ抑制又は配線取り回しの容易化を図るために、係る電気部品を収容する電気品ボックスへその側部から配線を引き込むことが考えられる。例えば、特許文献１（特開２００８−１４４９８２号公報）では、圧縮機がケーシングの底板上に配置される冷凍装置の室外ユニットにおいて、電力供給線が電気部品ボックスの側部から電気部品ボックス内に引き込まれている。
【発明の概要】
【発明が解決しようとする課題】
【０００３】
ここで、電気部品ボックスに引き込まれる電気配線については、機器（例えば圧縮機等のアクチュエータやヒータ）の動力源となる電力供給を行うための配線（強電配線）と、機器（例えばセンサやマイクロコンピュータ）間で送受信される制御信号を送るための配線（弱電配線）が存在する。弱電配線は強電配線より値が小さい電圧又は電流を供給されることが一般的であり、弱電配線と強電配線とが近接する場合には弱電配線においてノイズが生じることが懸念される。このため、信頼性低下を抑制するために、弱電配線と強電配線とは分けて電気部品ボックスへ引き込まれるのが通常である。
【０００４】
一方で、冷凍装置の室外ユニットでは、電気部品ボックス内への液体の浸入を防止するための対策が必要となるが、強電配線用の配線の引き込み部分、及び弱電配線用の配線の引き込み部分のそれぞれに対して係る対策を個別に行う場合には、コスト増大が懸念される。
【０００５】
そこで本発明の課題は、信頼性低下を抑制するとともにコスト増大を抑制する冷凍装置の室外ユニットを提供することである。
【課題を解決するための手段】
【０００６】
本発明の第１観点に係る冷凍装置の室外ユニットは、ケーシングと、電気部品と、電気部品ボックスと、第１配線と、第２配線と、カバー部と、を備える。ケーシングは、複数の機器を収容する。電気部品は、第１電気部品と、第２電気部品と、を含む。電気部品ボックスは、ケーシング内に配置される。電気部品ボックスは、電気部品を収容する。第１配線は、第１電気部品といずれかの機器との間で、電圧又は電流を供給される。第２配線は、第２電気部品と他のいずれかの機器との間で、第１配線に供給されるよりも小さい値の電圧又は電流を供給される。カバー部は、電気部品ボックス内への液体の浸入を抑制する。電気部品ボックスには、第１開口と、第２開口と、が側方に形成される。第１開口は、第１配線を引き込むための開口である。第２開口は、第２配線を引き込むための開口である。カバー部は、電気部品ボックスの外面において、第１開口及び第２開口の周囲に配置される。カバー部は、第１開口及び第２開口双方の上方及び側方を覆う。
【０００７】
本発明の第１観点に係る冷凍装置の室外ユニットでは、電気部品ボックス内への液体の浸入を抑制するカバー部は、電気部品ボックスの外面において、第１配線を引き込むための第１開口及び第２配線を引き込むための第２開口の周囲に配置され、第１開口及び第２開口双方の上方及び側方を覆う。これにより、第１配線及び第２配線を分けて電気部品ボックスへ引き込みつつ、第１配線引き込み用の第１開口及び第２配線引き込み用の第２開口が共通のカバー部で覆われることで、部品点数が削減されつつ、電気部品ボックス内への液体の浸入を簡易且つ的確に抑制することが可能となる。よって、信頼性低下が抑制されつつ、電気部品ボックス内への液体の浸入を防止するうえでコスト増大が抑制される。
【０００８】
なお、ここでの「第１配線」は、主として、機器（例えばモータ等のアクチュエータやヒータ）の動力源となる電力供給を行うための配線（いわゆる強電配線）である。また、「第２配線」は、主として、機器（例えばセンサやマイクロコンピュータ）間で送受信される制御信号を送るための配線（いわゆる弱電配線）であり、第１配線に所定距離（例えば３ｃｍ）以内で近接することでノイズが特に生じやすい配線である。「第１配線」及び「第２配線」のそれぞれに供給される電圧及び電流の値は、設計仕様や設置環境に応じて適宜選定される。例えば、「第１配線」には５０Ｖ以上の電圧（またはそれに関する電流）が供給される。また、例えば「第２配線」には１５Ｖ以下の電圧（またはそれに関する電流）が供給される。
【０００９】
また、ここでの「複数の機器」は冷凍装置を構成する機器であり、「複数の機器」には、例えば、圧縮機、ファン、電動弁、電磁弁、ヒータ、温度センサ及び圧力センサのいずれか／全てが含まれる。
【００１０】
本発明の第２観点に係る冷凍装置の室外ユニットは、第１観点に係る冷凍装置の室外ユニットであって、機器には、ファンが含まれる。ファンは、空気流を生成する。ケーシングには、吹出口が形成される。吹出口は、上方向に空気流を吹き出すための開口である。空気流は、ケーシング内において下方から上方へ向かって流れ吹出口から流出する空気の流れである。
【００１１】
本発明の第２観点に係る冷凍装置の室外ユニットでは、上方向に空気流を吹き出すための吹出口を形成された室外ユニット（すなわち吹出口を介してケーシングへの液体の浸入が特に懸念される室外ユニット）においても、コストが抑制されつつ電気部品ボックスへの液体の浸入が抑制される。
【００１２】
本発明の第３観点に係る冷凍装置の室外ユニットは、第１観点又は第２観点に係る冷媒冷凍装置の室外ユニットであって、電気部品ボックス又はカバー部には、仕切部が配置される。仕切部は、第１開口及び第２開口に引き込まれる第１配線及び第２配線を仕切る。
【００１３】
これにより、第１開口に引き込まれる第１配線、及び第２開口に引き込まれる第２配線に関し、両者が近接することが抑制される。その結果、第２配線において、第１配線に近接することによるノイズの発生が抑制される。よって、信頼性低下がさらに抑制される。
【００１４】
本発明の第４観点に係る冷凍装置の室外ユニットは、第１観点から第３観点のいずれかに係る冷凍装置の室外ユニットであって、基板を備える。基板は、電気部品を実装される。第１開口及び第２開口は、基板の上端よりも低い高さ位置であって下端よりも高い高さ位置に配置される。
【００１５】
本発明の第４観点に係る冷凍装置の室外ユニットでは、第１開口及び第２開口は、基板の上端よりも低い高さ位置であって下端よりも高い高さ位置に配置されることで、第１開口及び第２開口が近接配置されうる。その結果、カバー部が第１開口及び第２開口の双方を覆いやすくなり、コスト抑制が促進される。
【００１６】
本発明の第５観点に係る冷凍装置の室外ユニットは、第１観点から第４観点のいずれかに係る冷凍装置の室外ユニットであって、電気部品ボックスには、配線通し穴が形成される。配線通し穴は、第１開口及び第２開口の双方を兼ねる。第１配線及び第２配線は、配線通し穴を介して、分かれて電気部品ボックス内に引き込まれる。カバー部は、配線通し穴の周囲に配置される。カバー部は、配線通し穴の上方及び側方を覆う。
【００１７】
本発明の第５観点に係る冷凍装置の室外ユニットでは、第１配線及び第２配線は、第１開口及び第２開口の双方を兼ねる配線通し穴を介して、分かれて電気部品ボックス内に引き込まれる。これにより、第１配線及び第２配線の引き込み部分の双方をカバー部によって覆いやすくなり、コスト抑制がさらに促進される。
【００１８】
本発明の第６観点に係る冷凍装置の室外ユニットは、第１観点から第５観点のいずれかに係る冷凍装置の室外ユニットであって、第１開口に引き込まれる第１配線、及び第２開口に引き込まれる第２配線は、それぞれ１５本以上である。
【００１９】
本発明の第６観点に係る冷凍装置の室外ユニットでは、電気部品ボックス内に引き込まれる電気配線の数が多く、ノイズに因る信頼性低下や、液体浸入抑制に関してコスト増大が特に懸念される場合でも、信頼性低下が抑制されるとともに電気部品ボックス内への液体の浸入を防止するうえでコスト増大が抑制される。
【００２０】
本発明の第７観点に係る冷凍装置の室外ユニットは、第１観点から第６観点のいずれかに係る冷凍装置の室外ユニットであって、カバー部は、下方に開放する下開口を形成される。第１配線及び第２配線は、下開口を介して、カバー部及び電気部品ボックス内に引き込まれる。これにより、第１開口及び第２開口への液体浸入用のカバー部を簡易に構成することが可能となる。
【００２１】
本発明の第８観点に係る冷凍装置の室外ユニットは、第１観点から第７観点のいずれかに係る冷凍装置の室外ユニットであって、カバー部は、第１カバー部材と、第２カバー部材と、を含む。第２カバー部材は、第１カバー部材の上方に位置する。第２カバー部材は、第１カバー部材を上方から覆う。これにより、電気部品ボックス内への液体の浸入がさらに抑制される。
【発明の効果】
【００２２】
本発明の第１観点に係る冷凍装置の室外ユニットでは、第１配線及び第２配線を分けて電気部品ボックスへ引き込みつつ、第１配線引き込み用の第１開口及び第２配線引き込み用の第２開口が共通のカバー部で覆われることで、部品点数を削減しつつ、電気部品ボックス内への液体の浸入を簡易且つ的確に抑制することが可能となる。よって、信頼性低下が抑制されつつ、電気部品ボックス内への液体の浸入を防止するうえでコスト増大が抑制される。
【００２３】
本発明の第２観点に係る冷凍装置の室外ユニットでは、上方向に空気流を吹き出すための吹出口を形成された室外ユニット（すなわち吹出口を介してケーシングへの液体の浸入が特に懸念される室外ユニット）においても、コストが抑制されつつ電気部品ボックスへの液体の浸入が抑制される。
【００２４】
本発明の第３観点に係る冷凍装置の室外ユニットでは、信頼性低下がさらに抑制される。
【００２５】
本発明の第４観点に係る冷凍装置の室外ユニットでは、コスト抑制が促進される。
【００２６】
本発明の第５観点に係る冷凍装置の室外ユニットでは、コスト抑制がさらに促進される。
【００２７】
本発明の第６観点に係る冷凍装置の室外ユニットでは、電気部品ボックス内に引き込まれる電気配線の数が多く、ノイズに因る信頼性低下や、液体浸入抑制に関してコスト増大が特に懸念される場合でも、信頼性低下が抑制されるとともに電気部品ボックス内への液体の浸入を防止するうえでコスト増大が抑制される。
【００２８】
本発明の第７観点に係る冷凍装置の室外ユニットでは、第１開口及び第２開口への液体浸入用のカバー部を簡易に構成することが可能となる。
【００２９】
本発明の第８観点に係る冷凍装置の室外ユニットでは、電気部品ボックス内への液体の浸入がさらに抑制される。
【図面の簡単な説明】
【００３０】
【図１】本発明の一実施形態に係る室外ユニットを有する空調システムの概略構成図。
【図２】正面側から見た室外ユニットの斜視図。
【図３】背面側から見た室外ユニットの斜視図。
【図４】室外ユニットの概略分解図。
【図５】２つのファンモジュールを有する室外ユニットの一例の斜視図。
【図６】底フレーム上に配置される機器の配置態様と、室外空気流の流れ方向とを模式的に示した図。
【図７】第１前面パネルを取り外された状態における室外ユニットの正面側の拡大図。
【図８】室外ユニットケーシング内における室外空気流の流れる態様を模式的に示した図。
【図９】（前面カバーを取り外した状態の）電装品箱の正面図。
【図１０】図９に示される電装品箱の背面図。
【図１１】図９に示される電装品箱の右側面図。
【図１２】鉛直板（制御基板）を取り外した状態の電装品箱の正面図（弱電配線及び強電配線については一部省略）。
【図１３】図１２に示される電装品箱の正面斜視図。
【図１４】本体フレームの正面斜視図。
【図１５】図１４とは異なる方向から見た本体フレームの正面斜視図。
【図１６】天面カバーを取り外した状態の電装品箱の上面図。
【図１７】天面カバーの斜視図。
【図１８】図１７とは異なる方向から見た天面カバーの斜視図。
【図１９】第１側面カバーの斜視図。
【図２０】図１９とは異なる方向から見た第１側面カバーの斜視図。
【図２１】右方向から見た第１側面カバーの斜視図。
【図２２】左方向から見た第１側面カバーの斜視図。
【図２３】図１１のＡ部分の拡大図
【図２４】図２３に示される状態を背面側から見た斜視図。
【図２５】図２３に示される状態において第１側面カバーを省略した図。
【図２６】図２５に示される状態を背面側から見た斜視図。
【図２７】変形例１に係る電装品箱を図２５に対応させて示した図。
【図２８】変形例２に係る電装品箱を図２５に対応させて示した図。
【発明を実施するための形態】
【００３１】
以下、図面を参照しながら、本発明の一実施形態に係る室外ユニット１０について説明する。なお、以下の実施形態は、本発明の具体例であって、本発明の技術的範囲を限定するものではなく、発明の要旨を逸脱しない範囲で適宜変更が可能である。また、以下の説明において、「上」、「下」、「左」、「右」、「前」、「後」、「前面」、「背面」は、特にことわりのない限り、図２―２８に示される方向を意味している（但し、以下の実施例における左右及び／又は前後については適宜反転させてもよい）。
【００３２】
本発明の一実施形態に係る室外ユニット１０は、空調システム１００（冷凍装置）に適用されている。
【００３３】
（１）空調システム１００
図１は、本発明の一実施形態に係る室外ユニット１０を有する空調システム１００の概略構成図である。空調システム１００は、蒸気圧縮式の冷凍サイクルによって、対象空間（居住空間や貯蔵庫内等の被空調空間）の冷却又は加熱等の空調を行うシステムである。空調システム１００は、主として、室外ユニット１０と、複数（ここでは２台）の室内ユニット３０（３０ａ、３０ｂ）と、液側連絡配管Ｌ１及びガス側連絡配管Ｇ１と、を有している。
【００３４】
空調システム１００では、室外ユニット１０と室内ユニット３０とが、液側連絡配管Ｌ１及びガス側連絡配管Ｇ１を介して接続されることで、冷媒回路ＲＣが構成されている。空調システム１００では、冷媒回路ＲＣ内において、冷媒が、圧縮され、冷却又は凝縮され、減圧され、加熱又は蒸発された後に、再び圧縮される、という冷凍サイクルが行われる。
【００３５】
（１−１）室外ユニット１０
室外ユニット１０は、室外空間に設置される。室外空間は、空気調和が行われる対象空間外の空間であり、例えば建物の屋上等の屋外や、地下空間等である。室外ユニット１０は、液側連絡配管Ｌ１及びガス側連絡配管Ｇ１を介して各室内ユニット３０と接続されており、冷媒回路ＲＣの一部（室外側回路ＲＣ１）を構成している。室外ユニット１０は、室外側回路ＲＣ１を構成する機器として、主としてアキュームレータ１１、圧縮機１２、油分離器１３、四路切換弁１４、室外熱交換器１５、及び室外膨張弁１６等を有している。これらの機器（１１−１６）は、冷媒配管によって接続されている。
【００３６】
アキュームレータ１１は、圧縮機１２に液冷媒が過度に吸入されることを抑制すべく、冷媒を貯留して気液分離する容器である。
【００３７】
圧縮機１２は、冷凍サイクルにおける低圧の冷媒を高圧になるまで圧縮する機器である。本実施形態では、圧縮機１２は、ロータリ式やスクロール式等の容積式の圧縮要素が圧縮機モータＭ１２によって回転駆動される密閉式構造を有している。また、ここでは、圧縮機モータＭ１２は、インバータにより運転周波数の制御が可能であり、これにより、圧縮機１２の容量制御が可能になっている。圧縮機１２の発停並びに運転容量は、室外ユニット制御部２０によって制御される。
【００３８】
油分離器１３は、圧縮機１２から吐出される冷媒に相溶した冷凍機油を分離して圧縮機１２へ戻す容器である。
【００３９】
四路切換弁１４は、冷媒回路ＲＣにおける冷媒の流れを切り換えるための流路切換弁である。
【００４０】
室外熱交換器１５は、冷媒の凝縮器（又は放熱器）又は蒸発器として機能する熱交換器である。
【００４１】
室外膨張弁１６は、開度制御が可能な電動弁であり、開度に応じて流入する冷媒を減圧する又は流量調節する。
【００４２】
また、室外ユニット１０は、室外空気流ＡＦを生成する室外ファン１８（特許請求の範囲記載の「ファン」に相当）を有している。室外空気流ＡＦ（特許請求の範囲記載の「空気流」に相当）は、室外ユニット１０外から室外ユニット１０内へ流入して室外熱交換器１５を通過する空気の流れである。室外空気流ＡＦは、室外熱交換器１５を流れる冷媒の冷却源又は加熱源であり、室外熱交換器１５を通過する際に室外熱交換器１５内の冷媒と熱交換を行う。室外ファン１８は、室外ファンモータＭ１８を含み、室外ファンモータＭ１８に連動して駆動する。室外ファン１８の発停及び回転数は、室外ユニット制御部２０によって適宜制御される。
【００４３】
また、室外ユニット１０には、冷媒回路ＲＣ内の冷媒の状態（主に圧力又は温度）を検出するための複数の室外側センサ１９が配置されている。室外側センサ１９は、圧力センサや、サーミスタ又は熱電対等の温度センサである。室外側センサ１９には、例えば、圧縮機１２の吸入側における冷媒の圧力である吸入圧力を検出する吸入圧力センサ、圧縮機１２の吐出側における冷媒の圧力である吐出圧力を検出する吐出圧力センサ、及び室外熱交換器１５における冷媒の温度を検出する温度センサ等が含まれる。
【００４４】
また、室外ユニット１０は、室外ユニット１０に含まれる各機器の動作・状態を制御する室外ユニット制御部２０を有している。室外ユニット制御部２０は、ＣＰＵやメモリ等を有するマイクロコンピュータや、各種電気部品（例えばコンデンサ、半導体素子及びコイル部品等）を含んでいる。室外ユニット制御部２０は、室外ユニット１０に含まれる各機器（１２、１４、１６、１８等）や室外側センサ１９と電気的に接続されており、互いに信号の入出力を行う。また、室外ユニット制御部２０は、各室内ユニット３０の室内ユニット制御部３５やリモコン（図示省略）と制御信号等の送受信を行う。室外ユニット制御部２０は、後述の電装品箱５０に収容されている。
【００４５】
室外ユニット１０の構造の詳細については、後述する。
【００４６】
（１−２）室内ユニット３０
室内ユニット３０は、室内（居室や天井裏空間等）に設置されており、冷媒回路ＲＣの一部（室内側回路ＲＣ２）を構成している。室内ユニット３０は、室内側回路ＲＣ２を構成する機器として、主として、室内膨張弁３１及び室内熱交換器３２等を有している。
【００４７】
室内膨張弁３１は、開度制御が可能な電動弁であり、開度に応じて流入する冷媒を減圧する又は流量調節する。
【００４８】
室内熱交換器３２は、冷媒の蒸発器又は凝縮器（又は放熱器）として機能する熱交換器である。
【００４９】
また、室内ユニット３０は、対象空間内の空気を吸入し、室内熱交換器３２を通過させ冷媒と熱交換させた後に、対象空間に再び送るための室内ファン３３を有している。室内ファン３３は、駆動源である室内ファンモータを含む。室内ファン３３は、駆動時に、室内空気流を生成する。室内空気流は、対象空間から室内ユニット３０内へ流入して室内熱交換器３２を通過して対象空間へ吹き出される空気の流れである。室内空気流は、室内熱交換器３２を流れる冷媒の加熱源又は冷却源であり、室内熱交換器３２を通過する際に室内熱交換器３２内の冷媒と熱交換を行う。
【００５０】
また、室内ユニット３０は、室内ユニット３０に含まれる機器（３５等）の動作・状態を制御する室内ユニット制御部３５を有している。室内ユニット制御部３５は、ＣＰＵやメモリ等を含むマイクロコンピュータや、各種電気部品を有している。
【００５１】
（１−３）液側連絡配管Ｌ１、ガス側連絡配管Ｇ１
液側連絡配管Ｌ１及びガス側連絡配管Ｇ１は、室外ユニット１０及び各室内ユニット３０を接続する冷媒連絡配管であり、現地にて施工される。液側連絡配管Ｌ１及びガス側連絡配管Ｇ１の配管長や配管径については、設計仕様や設置環境に応じて適宜選定される。
【００５２】
（２）冷媒回路ＲＣにおける冷媒の流れ
以下、冷媒回路ＲＣにおける冷媒の流れについて説明する。空調システム１００では、主として、正サイクル運転と逆サイクル運転が行われる。ここでの冷凍サイクルにおける低圧は、圧縮機１２の吸入される冷媒の圧力（吸入圧力）であり、冷凍サイクルにおける高圧は、圧縮機１２から吐出される冷媒の圧力（吐出圧力）である。
【００５３】
（２−１）正サイクル運転時の冷媒の流れ
正サイクル運転（冷房運転等）時には、四路切換弁１４が正サイクル状態（図１の四路切換弁１４の実線で示される状態）に制御される。正サイクル運転が開始されると、室外側回路ＲＣ１内において、冷媒が圧縮機１２に吸入されて圧縮された後に吐出される。圧縮機１２では、運転中の室内ユニット３０で要求される熱負荷に応じた容量制御が行われる。具体的には、吸入圧力の目標値が室内ユニット３０で要求される熱負荷に応じて設定され、吸入圧力が目標値になるように圧縮機１２の運転周波数が制御される。圧縮機１２から吐出されたガス冷媒は、室外熱交換器１５に流入する。
【００５４】
室外熱交換器１５に流入したガス冷媒は、室外熱交換器１５において、室外ファン１８によって送られる室外空気流ＡＦと熱交換を行って放熱して凝縮する。室外熱交換器１５から流出した冷媒は、室外膨張弁１６を通過して室外膨張弁１６の開度に応じて減圧又は流量調整された後、室外側回路ＲＣ１から流出する。室外側回路ＲＣ１から流出した冷媒は、液側連絡配管Ｌ１を経て運転中の室内ユニット３０の室内側回路ＲＣ２に流入する。
【００５５】
運転中の室内ユニット３０の室内側回路ＲＣ２に流入した冷媒は、室内膨張弁３１に流入し、室内膨張弁３１の開度に応じて冷凍サイクルにおける低圧になるまで減圧された後、室内熱交換器３２に流入する。室内熱交換器３２に流入した冷媒は、室内ファン３３によって送られる室内空気流と熱交換を行って蒸発し、ガス冷媒になり、室内熱交換器３２から流出する。室内熱交換器３２から流出したガス冷媒は、室内側回路ＲＣ２から流出する。
【００５６】
室内側回路ＲＣ２から流出した冷媒は、ガス側連絡配管Ｇ１を経て、室外側回路ＲＣ１に流入する。室外側回路ＲＣ１に流入した冷媒は、アキュームレータ１１に流入する。アキュームレータ１１に流入した冷媒は、一時的に溜められた後、再び圧縮機１２に吸入される。
【００５７】
（２−２）逆サイクル運転時の冷媒の流れ
逆サイクル運転（暖房運転等）時には、四路切換弁１４が逆サイクル状態（図１の四路切換弁１４の破線で示される状態）に制御される。逆サイクル運転が開始されると、室外側回路ＲＣ１内において、冷媒が圧縮機１２に吸入されて圧縮された後に吐出される。圧縮機１２では、正サイクル運転同様、運転中の室内ユニット３０で要求される熱負荷に応じた容量制御が行われる。圧縮機１２から吐出されたガス冷媒は、室外側回路ＲＣ１から流出し、ガス側連絡配管Ｇ１を経て運転中の室内ユニット３０の室内側回路ＲＣ２に流入する。
【００５８】
室内側回路ＲＣ２に流入した冷媒は、室内熱交換器３２に流入して、室内ファン３３によって送られる室内空気流と熱交換を行って凝縮する。室内熱交換器３２から流出した冷媒は、室内膨張弁３１に流入し、室内膨張弁３１の開度に応じて冷凍サイクルにおける低圧になるまで減圧された後、室内側回路ＲＣ２から流出する。
【００５９】
室内側回路ＲＣ２から流出した冷媒は、液側連絡配管Ｌ１を経て室外側回路ＲＣ１に流入する。室外側回路ＲＣ１に流入した冷媒は、室外熱交換器１５の液側出入口に流入する。
【００６０】
室外熱交換器１５に流入した冷媒は、室外熱交換器１５において、室外ファン１８によって送られる室外空気流ＡＦと熱交換を行って蒸発する。室外熱交換器１５のガス側出入口から流出した冷媒は、アキュームレータ１１に流入する。アキュームレータ１１に流入した冷媒は、一時的に溜められた後、再び圧縮機１２に吸入される。
【００６１】
（３）室外ユニット１０の詳細
図２は、正面側から見た室外ユニット１０の斜視図である。図３は、背面側から見た室外ユニット１０の斜視図である。図４は、室外ユニット１０の概略分解図である。
【００６２】
（３−１）室外ユニットケーシング４０
室外ユニット１０は、外郭を構成し、各機器（１１、１２、１３、１４、１５、１６、２０等）を収容する室外ユニットケーシング４０を有している。室外ユニットケーシング４０（特許請求の範囲記載の「ケーシング」に相当）は、複数の板金部材が組み上げられることによって、略直方体形状に形成されている。室外ユニットケーシング４０の左側面、右側面及び背面の大部分は開口であり、係る開口が室外空気流ＡＦを吸い込むための吸気口４０１として機能する。
【００６３】
室外ユニットケーシング４０は、主として、一対の据付脚４１と、底フレーム４３と、複数（ここでは４本）の支柱４５と、前面パネル４７と、ファンモジュール４９と、を有している。
【００６４】
据付脚４１は、左右方向に延び、底フレーム４３を下方から支持する板金部材である。室外ユニットケーシング４０では、前端付近及び後端付近において据付脚４１が配置されている。
【００６５】
底フレーム４３は、室外ユニットケーシング４０の底面部分を構成する板金部材である。底フレーム４３は、一対の据付脚４１上に配置される。底フレーム４３は、平面視において略長方形状を呈している。
【００６６】
支柱４５は、底フレーム４３の角部分から鉛直方向に延びる。図２―４では、底フレーム４３の４つの角部分のそれぞれから、支柱４５が鉛直方向に延びる様子が示されている。
【００６７】
前面パネル４７は、室外ユニットケーシング４０の正面部分を構成する板金部材である。より詳細には、前面パネル４７は、第１前面パネル４７ａ及び第２前面パネル４７ｂを含む。第１前面パネル４７ａは、室外ユニットケーシング４０の正面左側部分を構成する。第２前面パネル４７ｂは、室外ユニットケーシング４０の正面右側部分を構成する。第１前面パネル４７ａ及び第２前面パネル４７ｂは、室外ユニットケーシング４０に位置決めされた後、支柱４５に対してビスで締結されることで個別に固定されている。
【００６８】
ファンモジュール４９は、各支柱４５の上端近傍に取り付けられている。ファンモジュール４９は、室外ユニットケーシング４０の前面、背面、左側面及び右側面の支柱４５よりも上側の部分と、室外ユニットケーシング４０の天面と、を構成している。ファンモジュール４９は、室外ファン１８やベルマウス４９１（図７参照）を含む。より詳細には、ファンモジュール４９は、上面及び下面が開口した略直方体形状の箱体に、室外ファン１８やベルマウス４９１が収容された集合体である。ファンモジュール４９において、室外ファン１８は、回転軸が鉛直方向に延びるような姿勢で配置されている。ファンモジュール４９の上面部分は、開放しており、室外ユニットケーシング４０から室外空気流ＡＦを吹き出させる吹出口４０２として機能する。吹出口４０２には、格子状のグリル４９２が設けられている。
【００６９】
なお、図２−４においては、室外ユニット１０が１つのファンモジュール４９を有する例について示されているが、室外ユニット１０は複数のファンモジュール４９を有していてもよい。例えば、図５に示される室外ユニット１０´のように、２つのファンモジュール４９を有していてもよい。図５に示される室外ユニット１０´では、２つのファンモジュール４９が左右に並んで配置される様子が示されている。室外ユニット１０´は、１つのファンモジュール４９を有する室外ユニット１０よりも寸法が大きい室外ユニットケーシング４０´を有しており、前面パネル４７を左右に１つずつ有している。また、図示は省略するが、室外ユニット１０´では、室外ユニットケーシング４０´の寸法に応じて、室外ユニット１０よりも室外熱交換器１５の寸法が大きく構成される。
【００７０】
（３−２）底フレーム４３上に配置される機器
図６は、底フレーム４３上に配置される機器の配置態様と、室外空気流ＡＦの流れ方向とを模式的に示した図である。図６に示されるように、底フレーム４３上には、アキュームレータ１１、圧縮機１２、油分離器１３及び室外熱交換器１５を含む各種機器が、所定位置に配置されている。また、底フレーム４３上には、室外ユニット制御部２０を収容する電装品箱５０が配置されている。
【００７１】
室外熱交換器１５は、室外ユニットケーシング４０の左側面、右側面及び背面に沿って配置される熱交換面１５１（図４参照）を有している。熱交換面１５１は、吸気口４０１と略同一の高さ寸法を有している。室外ユニットケーシング４０の背面及び左側面及び右側面の大部分は吸気口４０１であり、係る吸気口４０１から室外熱交換器１５の熱交換面１５１が露出している。換言すると、室外ユニットケーシング４０の背面、左側面及び右側面は、実質的に室外熱交換器１５の熱交換面１５１によって形成されているともいえる。室外熱交換器１５は、３つの熱交換面１５１を有しており、これに関連して平面視において左右に湾曲部分を有しており（正面方向に開いた）略Ｕ字形状を呈している。
【００７２】
アキュームレータ１１は、室外熱交換器１５の右側の湾曲部分の左前方において、圧縮機１２の右後方に配置されている。
【００７３】
圧縮機１２は、室外熱交換器１５の右側端部の左側において、アキュームレータ１１の左前方に配置されている。圧縮機１２は、室外ユニットケーシング４０の正面右側部分に位置している。圧縮機１２は、ファンモジュール４９（室外ファン１８）の下方に位置している。換言すると、室外ファン１８は、圧縮機１２よりも高い高さ位置に配置されている。
【００７４】
油分離器１３は、アキュームレータ１１の左側に配置されている。
【００７５】
電装品箱５０（特許請求の範囲記載の「電気部品ボックス」に相当）は、室外熱交換器１５の左側端部の右側において、圧縮機１２の左側に配置されている（図２及び図４−６を参照）。電装品箱５０は、室外ユニットケーシング４０の正面左側部分に位置している。図７は、第１前面パネル４７ａを取り外された状態における室外ユニット１０の正面側の拡大図である。図７に示されるように、電装品箱５０は、第１前面パネル４７ａを取り外された状態において正面側に露出する。これにより、第２前面パネル４７ｂを取り外すことなく第１前面パネル４７ａを取り外すだけで、電装品箱５０にアクセスできるようになっている。電装品箱５０は、前面部分を構成する前面カバー５１を有している。電装品箱５０の詳細については後述する。
【００７６】
（３−３）室外ユニットケーシング４０内における室外空気流ＡＦの流れ
図８は、室外ユニットケーシング４０内における室外空気流ＡＦの流れる態様を模式的に示した図である。図６及び図８に示されるように、室外空気流ＡＦは、室外ユニットケーシング４０の左側面、右側面及び背面に形成された吸気口４０１から室外ユニットケーシング４０内に流入し、室外熱交換器１５（熱交換面１５１）を通過した後、主として下方から上方に向かって流れ、吹出口４０２から流出する。すなわち、室外空気流ＡＦは、吸気口４０１を介して室外ユニットケーシング４０内に水平方向に沿って流入し、室外熱交換器１５を通過した後、上方向に転回して吹出口４０２に向かって下方から上方に向かって流れる。
【００７７】
なお、以下の説明において、室外ユニットケーシング４０内において室外空気流ＡＦの主たる流路が形成される空間（図６では、室外熱交換器１５及び前面パネル４７で囲われる空間）を「送風空間Ｓ１」と称する。
【００７８】
（４）電装品箱５０の詳細
図９は、（前面カバー５１を取り外した状態の）電装品箱５０の正面図である。図１０は、図９に示される電装品箱５０の背面図である。図１１は、図９に示される電装品箱５０の右側面図である。
【００７９】
（４―１）電装品箱５０内に形成される空間及び電装品箱５０内に配置される機器
電装品箱５０は、幅方向（ここでは左右方向）及び奥行き方向（ここでは前後方向）の寸法よりも高さ方向（上下方向）の寸法が大きい略直方体状の金属製の箱である。電装品箱５０内の空間（以下、「内部空間ＳＰ」と称する）には、室外ユニット制御部２０を構成する各種電気部品Ｅ１（後述の弱電部品９０及び強電部品９５を含む）が収容されている。
【００８０】
内部空間ＳＰには、下部空間ＳＰ１と、下部空間ＳＰ１の上方に位置する上部空間ＳＰ２と、が含まれている。なお、下部空間ＳＰ１と上部空間ＳＰ２とは仕切られることなく連通しており、両者の間に明確な境界はない。
【００８１】
下部空間ＳＰ１は、内部空間ＳＰの下端（電装品箱５０の底面部分）から、所定の高さ寸法（内部空間ＳＰの高さ寸法の略３分の２程度の寸法）を占める空間である。下部空間ＳＰ１には、端子台６０やリアクタ６１等の電気部品Ｅ１が配置されている。
【００８２】
上部空間ＳＰ２は、下部空間ＳＰ１の上端から内部空間ＳＰの上端（電装品箱５０の天面部分）までを占める空間である。上部空間ＳＰ２には、上部空間ＳＰ２を奥行き方向（前後）に２つの空間に仕切る鉛直板５０１が配置されている。鉛直板５０１は、鉛直方向に延びる板金である。鉛直板５０１は、上部空間ＳＰ２を、前側上部空間ＳＰ２ａと、前側上部空間ＳＰ２ａの背面側に位置する後側上部空間ＳＰ２ｂと、に仕切る。前側上部空間ＳＰ２ａと、後側上部空間ＳＰ２ｂと、は電装品箱５０の奥行き方向に並ぶ。
【００８３】
前側上部空間ＳＰ２ａには、ＣＰＵや各種メモリ等を含むマイクロコンピュータや通信モジュール等の電気部品Ｅ１を実装された複数（ここでは２つ）の制御基板７１（特許請求の範囲記載の「基板」に相当）が収容されている。各制御基板７１は、鉛直板５０１の前面部分に固定されている。各制御基板７１は、その主面が正面方向に面する姿勢（すなわち厚み方向が前後方向に延びる姿勢）で固定されている。
【００８４】
図１２は、鉛直板５０１（制御基板７１）を取り外した状態の電装品箱５０の正面図である（図１２において弱電配線及び強電配線については一部省略されている）。図１３は、図１２に示される電装品箱５０の正面斜視図である。
【００８５】
後側上部空間ＳＰ２ｂには、室外ユニット１０に配置されるアクチュエータの駆動状態を制御するための各種電気部品Ｅ１を実装された基板ユニット７５（特許請求の範囲記載の「基板」に相当）が収容されている。具体的に、基板ユニット７５は、圧縮機１２をインバータ制御するための電気部品Ｅ１（以下、「圧縮機制御用電気部品６３」と称する）を実装される圧縮機制御用電気部品実装部分７５ａと、室外ファン１８の駆動状態を制御するための電気部品Ｅ１（以下、「ファン制御用電気部品６６」と称する）を実装されるファン制御用電気部品実装部分７５ｂと、を含む。
【００８６】
本実施形態において、圧縮機制御用電気部品６３については、基板ユニット７５の一部である圧縮機制御基板７６に実装されている。すなわち、本実施形態では、圧縮機制御用電気部品実装部分７５ａは、圧縮機制御基板７６に配置されている。また、ファン制御用電気部品６６については、基板ユニット７５の一部であるファン制御基板７７に実装されている。すなわち、本実施形態では、ファン制御用電気部品実装部分７５ｂは、ファン制御基板７７に配置されている。
【００８７】
圧縮機制御用電気部品６３は、例えば、圧縮機制御基板７６の前側主面に実装される平滑コンデンサやダイオードブリッジ等である。また、圧縮機制御用電気部品６３には、インバータを構成する各種電気部品Ｅ１（例えば、ＩＧＢＴ等のスイッチング素子を含むパワーデバイス）が含まれる。より詳細には、圧縮機制御基板７６（圧縮機制御用電気部品実装部分７５ａ）においては、複数（６つ）のパワーデバイスが一体に構成されたパワーモジュール６５が実装されている。パワーモジュール６５は、圧縮機制御基板７６の後側主面に実装されている。なお、パワーモジュール６５は、通電時における発熱量が他の電気部品Ｅ１と比べて特に大きい。パワーモジュール６５は、例えば複数のパワーデバイスを含むＩＰＭである。パワーモジュール６５は、ファン制御用電気部品６６よりも高い高さ位置に配置される。
【００８８】
また、ファン制御用電気部品６６は、例えばコンデンサ、ダイオード、及びリレー等のスイッチである。なお、図１２及び図１３においては、室外ユニット１０において室外ファン１８が２つ配置される場合（例えば図５に示される室外ユニット１０´）を想定して、室外ファン１８と１対１に対応するファン制御基板７７（ファン制御用電気部品実装部分７５ｂ）が、後側上部空間ＳＰ２ｂにおいて左右に２つ並べられている。
【００８９】
後側上部空間ＳＰ２ｂには、圧縮機制御基板７６に実装された圧縮機制御用電気部品６３（主にパワーモジュール６５）を冷却するための第１冷却ユニット８０が、圧縮機制御基板７６の背面側に配置されている。第１冷却ユニット８０は、設置状態において、パワーモジュール６５と熱的に接続される。第１冷却ユニット８０は、室外空気流ＡＦと熱交換を行う複数の第１冷却ユニットフィン８１を有している。第１冷却ユニットフィン８１は、設置状態において、室外空気流ＡＦの流路上に位置する。
【００９０】
また、後側上部空間ＳＰ２ｂには、ファン制御基板７７に実装されたファン制御用電気部品６６を冷却するための第２冷却ユニット８５が配置されている。より具体的には、後側上部空間ＳＰ２ｂには、ファン制御基板７７と同数（ここでは２つ）の第２冷却ユニット８５が配置されている。第２冷却ユニット８５はいずれかのファン制御基板７７と１対１に対応しており、対応するファン制御基板７７の背面側に配置されている。第２冷却ユニット８５は、設置状態において、ファン制御用電気部品６６と熱的に接続される。第２冷却ユニット８５は、室外空気流ＡＦと熱交換を行う複数の第２冷却ユニットフィン８６を有している。第２冷却ユニットフィン８６は、設置状態において、室外空気流ＡＦの流路上に位置する。
【００９１】
なお、以下の説明においては、制御基板７１に実装される電気部品Ｅ１を「弱電部品９０」（特許請求の範囲記載の「第２電気部品」に相当）と称し、基板ユニット７５に実装される電気部品Ｅ１を「強電部品９５」（特許請求の範囲記載の「第１電気部品」に相当）と称する。
【００９２】
電装品箱５０には、複数の電気配線が引き込まれる。電装品箱５０に引き込まれる電気配線としては、例えば、弱電部品９０と、弱電部品９０に対応する機器（例えば、各室外側センサ１９等）と、を接続する配線（以下、「弱電配線９１」と称する）が含まれる。また、電装品箱５０に引き込まれる電気配線としては、例えば、強電部品９５と、強電部品９５に対応する機器（例えば、圧縮機１２や室外ファン１８等）と、を接続する配線（以下、「強電配線９６」と称する）が含まれる。
【００９３】
弱電配線９１（特許請求の範囲記載の「第２配線」に相当）は、主として、機器（例えばセンサやマイクロコンピュータ）間で送受信される制御信号を送るための配線である。弱電配線９１は、弱電部品９０と対応機器との間で電圧（又はそれに関する電流）を供給される。
【００９４】
強電配線９６（特許請求の範囲記載の「第１配線」に相当）は、主として、機器（例えばモータ等のアクチュエータやヒータ）の動作エネルギーとなる電源供給を行うための配線である。強電配線９６は、強電部品９５と対応機器との間で電圧（又はそれに関する電流）を供給される。
【００９５】
弱電配線９１に供給される電圧及び電流の値は、強電配線９６に供給される電圧及び電流の値よりも小さい。なお、弱電配線９１及び強電配線９６に供給される電圧及び電流の値は、設計仕様や設置環境に応じて適宜選定されるが、ここでは、弱電配線９１には１５Ｖ以下の電圧（またはそれに関する電流）が供給され、強電配線９６には５０Ｖ以上の電圧（またはそれに関する電流）が供給される。
【００９６】
（４―２）電装品箱５０の構成態様
電装品箱５０は、構成部材として、前面カバー５１（図７参照）と、本体フレーム５２（図１４−１５参照）と、を有している。
【００９７】
（４―２−１）前面カバー５１
前面カバー５１は、電装品箱５０の正面部分を構成する略長方形状の板状部材である。前面カバー５１は、電装品箱５０の幅寸法及び高さ寸法と略同一の幅寸法及び高さ寸法を有する。
【００９８】
（４―２−２）本体フレーム５２
図１４は、本体フレーム５２の正面斜視図である。図１５は、図１４とは異なる方向から見た本体フレーム５２の正面斜視図である。図１６は、（天面カバー５３を取り外した状態の）電装品箱５０の上面図である。
【００９９】
本体フレーム５２は、電装品箱５０の本体部分を構成する金属製の筐体である。本体フレーム５２は、電装品箱５０の背面部分を構成する背面部５２１と、電装品箱５０の左側面部分を構成する左側面部５２２と、電装品箱５０の右側面部分を構成する右側面部５２３と、電装品箱５０の天面部分を構成する天面部５２４と、有している。
【０１００】
背面部５２１は、前面カバー５１と略同一の寸法の略長方形状を呈している。左側面部５２２は、略長方形状を呈しており、背面部５２１の左側端部から前方に延びている。右側面部５２３は、略長方形状を呈しており、背面部５２１の右側端部から前方に延びている。天面部５２４は、略長方形状を呈しており、背面部５２１、左側面部５２２及び右側面部５２３の上端部分に接続されている。背面部５２１、左側面部５２２及び右側面部５２３の下端部分は、本体フレーム５２が、室外ユニットケーシング４０の底フレーム４３上で倒立可能なように、水平方向に折り曲げられ底フレーム４３に沿って延びている。
【０１０１】
本体フレーム５２（背面部５２１）には、複数の穴が形成されている。具体的には、本体フレーム５２には、第１冷却ユニット８０に含まれる放熱フィン（第１冷却ユニットフィン８１）を送風空間Ｓ１に露出させるための第１穴５２ａが形成されている。第１穴５２ａは、第１冷却ユニット８０及び圧縮機制御基板７６の設置位置に対応する位置に形成されている。
【０１０２】
また、本体フレーム５２（背面部５２１）には、第２冷却ユニット８５に含まれる放熱フィン（第２冷却ユニットフィン８６）を送風空間Ｓ１に露出させるための第２穴５２ｂが、第２冷却ユニット８５と同数（ここでは２つ）形成されている。第２穴５２ｂは、いずれかの第２冷却ユニット８５と１対１に対応しており、対応する第２冷却ユニット８５に含まれる放熱フィンを露出させる。第２穴５２ｂは、第１穴５２ａの下方において、対応する第２冷却ユニット８５及びファン制御基板７７の設置位置に対応する位置に形成されている。
【０１０３】
また、本体フレーム５２（右側面部５２３）には、電装品箱５０内に弱電配線９１及び強電配線９６を、電装品箱５０内に引き込むための第３穴５２ｃ（特許請求の範囲記載の「配線通し穴」に相当）が形成されている。第３穴５２ｃは、上部空間ＳＰ２に対応する位置において、右側面部５２３の一部が略Ｕ字状又は略Ｃ字状に切り欠かれることで形成されている。本実施形態において、第３穴５２ｃは、基板ユニット７５（より詳細には圧縮機制御基板７６）の上端よりも低い高さ位置であって下端よりも高い高さ位置に配置されている。第３穴５２ｃの詳細並びに配線の引込態様については後述する。
【０１０４】
また、本体フレーム５２（右側面部５２３）には、強電配線９６（特に圧縮機１２に接続される電力線）を電装品箱５０内に引き込むための第４穴５２ｄが形成されている。第４穴５２ｄは、第３穴５２ｃの上方において、右側面部５２３の一部が略Ｏ字状に打ち抜かれることで形成されている。本実施形態において、第４穴５２ｄを介して電装品箱５０内に引き込まれる強電配線９６は、圧縮機１２に対して３相２００Ｖの電圧を供給するための３本の電気配線である。
【０１０５】
また、本体フレーム５２（天面部５２４）には、電装品箱５０内の空気を排出する「排気口」として機能する複数の第５穴５２ｅが形成されている。本実施形態において、第５穴５２ｅは、左右方向に延びるスリットである。天面部５２４においては、奥行き方向（前後方向）に並ぶ複数の第５穴５２ｅが、幅方向（左右方向）に２列に並ぶように形成されている（図１６参照）。電装品箱５０が室外ユニットケーシング４０内に設置状態において、第５穴５２ｅは、室外ファン１８よりも低い高さ位置であって、第１冷却ユニット８０の放熱フィン（後述の第１冷却ユニットフィン８１）よりも高い高さ位置に位置する。各第５穴５２ｅにはバーリング加工が施されており、各第５穴５２ｅの縁部分（縁部５２ｅ１）は上方向に立ち上がっている（図１６参照）。係る縁部５２ｅ１により、天面部５２４の上面に液体が付着した場合であっても、第５穴５２ｅを介して液体が内部空間ＳＰに流入することが抑制されている。
【０１０６】
また、本体フレーム５２（背面部５２１）には、メンテナンス時等にサービスマンが圧縮機１２にアクセスするための第６穴５２ｆが、下端付近に形成されている。
【０１０７】
（５）カバーユニット５６
電装品箱５０の外面には、内部空間ＳＰへの液体の浸入を抑制するカバーユニット５６（特許請求の範囲記載の「カバー部」に相当）が配置されている。電装品箱５０に配置されるカバーユニット５６には、第１穴５２ａ及び第３穴５２ｃから内部空間ＳＰへの液体の浸入を抑制する天面カバー５３、右側面部５２３に形成された第３穴５２ｃから内部空間ＳＰへの液体の浸入を抑制する第１側面カバー５４、及び第４穴５２ｄから内部空間ＳＰへの液体の浸入を抑制する第２側面カバー５５が含まれる。
【０１０８】
（５−１）天面カバー５３
図１７は、天面カバー５３の斜視図である。図１８は、図１７とは異なる方向から見た天面カバー５３の斜視図である。
【０１０９】
天面カバー５３（特許請求の範囲記載の「第２カバー部材」に相当）は、電装品箱５０の天面部５２４に形成された第５穴５２ｅを介して液体が内部空間ＳＰに流入することを抑制するべく、本体フレーム５２の上端部分を上方から覆う板金部材である。天面カバー５３は、第５穴５２ｅから上方に間隔を置いて配置される。天面カバー５３は、上カバー部５３１と、左側方カバー部５３２と、右側方カバー部５３３と、庇部５３４を有している。
【０１１０】
上カバー部５３１は、本体フレーム５２の天面部５２４（第５穴５２ｅ）を上方から覆う部分である。上カバー部５３１は、平面視において、略長方形状を呈しており、本体フレーム５２の天面部５２４よりも大きい面積を有している。
【０１１１】
左側方カバー部５３２は、本体フレーム５２の左側面部５２２の上端付近部分を外側から覆う。左側方カバー部５３２は、上カバー部５３１の左端部から下方へ延びる部分である。
【０１１２】
右側方カバー部５３３は、本体フレーム５２の右側面部５２３の上端付近部分を外側から覆う。右側方カバー部５３３は、上カバー部５３１の右端部から下方へ延びる部分である。右側方カバー部５３３には、第４穴５２ｄに重畳する位置に開口５３ａが形成されている。
【０１１３】
庇部５３４は、右側方カバー部５３３の下端部分から右方向に向かって連続的に延びる板状の部分である。庇部５３４は、第３穴５２ｃ及び第１側面カバー５４の上方に位置しており、右側方カバー部５３３とともに、第３穴５２ｃ及び第１側面カバー５４の周囲を上方から覆う。より具体的には、庇部５３４は、右側方カバー部５３３とともに、第１側面カバー５４と電装品箱５０（右側面部５２３）との当接部分を上方から覆う。これにより、第１側面カバー５４と電装品箱５０（右側面部５２３）との間に隙間が形成された場合であっても、係る隙間を介して電装品箱５０内に液体が浸入することが抑制される。なお、後述するが、庇部５３４は、第１側面カバー５４の上部５４４の傾斜角度に沿って、後方に向かって下がり勾配を形成するように傾斜している。
【０１１４】
（５−２）第１側面カバー５４
図１９は、第１側面カバー５４の斜視図である。図２０は、図１９とは異なる方向から見た第１側面カバー５４の斜視図である。図２１は、右方向から見た第１側面カバー５４の斜視図である。図２２は、左方向から見た第１側面カバー５４の斜視図である。
【０１１５】
第１側面カバー５４（特許請求の範囲記載の「第１カバー部材」に相当）は、本体フレーム５２の右側面部５２３に形成された第３穴５２ｃを介して液体が内部空間ＳＰに流入することを抑制するべく、第３穴５２ｃの周囲（上方及び側方）に配置され、第３穴５２ｃを外側から（上方及び側方から）覆う板金部材である。第１側面カバー５４は、右側部５４１と、前側部５４２と、後側部５４３と、上部５４４と、後側折曲部５４５と、前側折曲部５４６と、上側折曲部５４７を有している。
【０１１６】
右側部５４１は、第３穴５２ｃを右方から覆う部分である。右側部５４１は、略長方形状を呈している。
【０１１７】
前側部５４２は、第３穴５２ｃを前方から覆う部分である。前側部５４２は、略長方形状を呈している。
【０１１８】
後側部５４３は、第３穴５２ｃを後方から覆う部分である。後側部５４３は、略長方形状を呈している。
【０１１９】
上部５４４は、第３穴５２ｃを上方から覆う部分である。上部５４４は、略長方形状を呈している。
【０１２０】
後側折曲部５４５は、後側部５４３の左側端部が略直角に折り曲げられた略長方形状の部分である。後側折曲部５４５は、後側部５４３の左側端部から正面方向に向かって延びる。後側折曲部５４５は、設置状態において、左側の主面において、電装品箱５０の右側面部５２３の外面に当接する。後側折曲部５４５は、設置状態において、電装品箱５０の右側面部５２３との間に隙間が形成されることを抑制するべく、左側の面において、シール部材５７（図２５参照）を貼り付けられる。
【０１２１】
前側折曲部５４６は、前側部５４２の左側端部が略直角に折り曲げられた略長方形状の部分である。前側折曲部５４６は、前側部５４２の左側端部から正面方向に向かって延びる。前側折曲部５４６は、設置状態において、左側の主面において、電装品箱５０の右側面部５２３の外面に当接する。前側折曲部５４６は、設置状態において、電装品箱５０の右側面部５２３との間に隙間が形成されることを抑制するべく、左側の面において、シール部材５８（図２５参照）を貼り付けられる。
【０１２２】
上側折曲部５４７は、上部５４４の左側端部が略直角に折り曲げられた略長方形状の部分である。上側折曲部５４７は、上部５４４の左側端部から上方向に向かって延びる。上側折曲部５４７は、設置状態において、右側の主面において、電装品箱５０の右側面部５２３の内面に当接する。すなわち、上側折曲部５４７は、設置状態において、電装品箱５０内（内部空間ＳＰ）に位置する。上側折曲部５４７は、設置状態において、電装品箱５０の右側面部５２３との間に隙間が形成されることを抑制するべく、右側の面において、シール部材（図示省略）を貼り付けられる。
【０１２３】
第１側面カバー５４は、底部分が抜けており開放している。すなわち、第１側面カバー５４には、下方に開放する開放部分５４ａが形成されている。開放部分５４ａは、第３穴５２ｃを介して内部空間ＳＰに引き込まれる電気配線（弱電配線９１及び強電配線９６）を通すための「下開口」として機能する。すなわち、弱電配線９１及び強電配線９６は、開放部分５４ａを介して、第１側面カバー５４内及び内部空間ＳＰに引き込まれる。
【０１２４】
第１側面カバー５４は、上側折曲部５４７がシール部材を介して第３穴５２ｃの上縁の内面側に当接する姿勢で第３穴５２ｃに差し込まれた後、後側折曲部５４５及び前側折曲部５４６が第３穴５２ｃの前端及び後端の外側に位置するように、本体フレーム５２の右側面部５２３にビス止めされて固定される。
【０１２５】
第１側面カバー５４の上部５４４は、設置状態において、上面に液体が付着した場合に、第３穴５２ｃに流入することなく後方へと流れ落ちるように、後方に向かって下がり勾配を形成するように傾斜している（図２３参照）。図２３は、図１１のＡ部分の拡大図である。図２３では、第１側面カバー５４は、設置状態において、水平線ｈ１に対して角度θ１に相当する角度分、上部５４４が傾斜している様子が示されている。なお、角度θ１は、設計仕様や設置環境に応じて適宜設定されうるが、ここでは１５度に設定されている。
【０１２６】
（５−３）第２側面カバー５５
第２側面カバー５５は、本体フレーム５２の右側面部５２３に形成される第４穴５２ｄを介して液体が内部空間ＳＰに流入することを抑制するべく、本体フレーム５２の第４穴５２ｄを外側から（上方及び側方から）覆うカバーである。第２側面カバー５５は、一般に普及している汎用品である。第２側面カバー５５には、圧縮機１２に接続される電力線（強電配線９６）を通すための開口が複数（ここでは３つ）形成されている。
【０１２７】
（６）第３穴５２ｃの詳細並びに配線の引込態様
図２４は、図２３に示される状態を背面側から見た斜視図である。図２５は、図２３に示される状態において第１側面カバー５４を省略した図である。図２６は、図２５に示される状態を背面側から見た斜視図である。
【０１２８】
図２３−２６においては、電装品箱５０内に、第３穴５２ｃを介して弱電配線９１及び強電配線９６が引き込まれ、第４穴５２ｄを介して強電配線９６が引き込まれる様子が示されている。
【０１２９】
また、第３穴５２ｃを介して電装品箱５０内に引き込まれる弱電配線９１は、多数（ここでは１１０本）であり、結束バンド等で束ねられている。すなわち、電装品箱５０内に引き込まれる弱電配線９１は、多数の弱電配線９１が束ねられた弱電配線群である。
【０１３０】
また、第３穴５２ｃを介して電装品箱５０内に引き込まれる強電配線９６は、多数（ここでは３６本）であり、結束バンド等で束ねられている。すなわち、電装品箱５０内に引き込まれる強電配線９６は、多数の強電配線９６が束ねられた強電配線群である。
【０１３１】
ここで、弱電配線９１は、強電配線９６と所定距離（例えば３ｃｍ）以上近接するとノイズが生じやすい。これを踏まえて、電装品箱５０では、図２３−２６に示されるように、弱電配線９１と強電配線９６とは、分かれて別々に第３穴５２ｃに引き込まれ、両者はノイズに関する信頼性が担保される距離で離間している。
【０１３２】
本実施形態では、係る態様で弱電配線９１と強電配線９６とが引き込まれることを促進するために、複数の部材が配置されている。例えば、電装品箱５０（右側面部５２３）には、第３穴５２ｃに引き込まれる弱電配線９１と強電配線９６とが近接することを抑制する仕切部９８が配置されている。仕切部９８は、厚み方向が前後方向であり鉛直方向及び左右方向に沿って延びる仕切板９８１を有している。仕切部９８は、係る仕切板９８１によって、弱電配線９１と強電配線９６とを仕切っており、両者が近接することを抑制している。
【０１３３】
また、複数の弱電配線９１を束ねて強電配線９６から離れた位置に固定する第１クランプ９９ａ、及び複数の強電配線９６を束ねて固定する第２クランプ９９ｂが、第１側面カバー５４の右側部５４１の上端付近において前後に配置されている。
【０１３４】
なお、第３穴５２ｃは、概念的には、図２５及び図２６に示すように、強電配線９６を引き込むための強電配線通し穴Ｈ１（特許請求の範囲記載の「第１開口」に相当）と、弱電配線９１を引き込むための弱電配線通し穴Ｈ２（特許請求の範囲記載の「第２開口」に相当）とが連続的に構成されていると解釈することが可能である。図２５及び図２６では、二点鎖線Ｄ１を挟んで強電配線通し穴Ｈ１及び弱電配線通し穴Ｈ２が前後に隣り合う様子が示されている。
【０１３５】
換言すると、電装品箱５０には、２つの開口（強電配線通し穴Ｈ１及び弱電配線通し穴Ｈ２）が側方に形成されていると解釈することも可能である。すなわち、第３穴５２ｃは、２つの開口（強電配線通し穴Ｈ１及び弱電配線通し穴Ｈ２）が合わさって形成された「配線通し穴」と解釈しうる。つまり、本実施形態では、第３穴５２ｃは、強電配線通し穴Ｈ１及び弱電配線通し穴Ｈ２の双方を兼ねている。
【０１３６】
そして、強電配線通し穴Ｈ１及び弱電配線通し穴Ｈ２が電装品箱５０の側面に形成されることに関連して、内部空間ＳＰへの液体の浸入対策を特に考慮する必要があるところ、本実施形態では、第１側面カバー５４によって強電配線通し穴Ｈ１と弱電配線通し穴Ｈ２とが上方から覆われていることで内部空間ＳＰへの液体の浸入が抑制されている。また、１つの第１側面カバー５４によって、強電配線９６を引き込むための強電配線通し穴Ｈ１、及び弱電配線９１を引き込むための弱電配線通し穴Ｈ２双方への液体の浸入が抑制されている。つまり、第１側面カバー５４が強電配線通し穴Ｈ１と弱電配線通し穴Ｈ２に対して共通に配置されており、これに関連してコストが抑制されている。
【０１３７】
（７）特徴
（７−１）
従来、冷凍装置の室外ユニットにおいては、圧縮機がケーシングの底板上に配置され、圧縮機に電力供給を行う電気部品についてはケーシング内に配置される電気部品ボックスに収容されるのが一般的であるところ、圧縮機に電力供給を行う電気部品と圧縮機間を結ぶ電気配線（電力供給線）に関して、長手方向の寸法を短くしてコスト抑制、ノイズ抑制又は配線取り回しの容易化を図るために、係る電気部品を収容する電気品ボックスへその側部から配線を引き込むものがある。
【０１３８】
この点、電気部品ボックスに引き込まれる電気配線については、機器（例えば圧縮機等のアクチュエータやヒータ）の動力源となる電力供給を行うための配線（強電配線）と、機器（例えばセンサやマイクロコンピュータ）間で送受信される制御信号を送るための配線（弱電配線）が存在し、弱電配線と強電配線とが近接する場合には弱電配線においてノイズが生じることが懸念される。このため、信頼性低下を抑制するために、弱電配線と強電配線とは分けて電気部品ボックスへ引き込まれるのが通常である。
【０１３９】
一方で、冷凍装置の室外ユニットでは、電気部品ボックス内への液体の浸入を防止するための対策が必要となるが、強電配線用の配線の引き込み部分、及び弱電配線用の配線の引き込み部分のそれぞれに対して係る対策を個別に行う場合には、コスト増大が懸念される。
【０１４０】
上記実施形態に係る室外ユニット１０では、電装品箱５０内への液体の浸入を抑制するカバーユニット５６が、電装品箱５０の外面において、強電配線９６を引き込むための強電配線通し穴Ｈ１及び弱電配線９１を引き込むための弱電配線通し穴Ｈ２の周囲に配置されており、強電配線通し穴Ｈ１及び弱電配線通し穴Ｈ２双方の上方及び側方を覆っている。このように、強電配線９６及び弱電配線９１を分けて電装品箱５０へ引き込みつつ、強電配線９６引き込み用の強電配線通し穴Ｈ１及び弱電配線９１引き込み用の弱電配線通し穴Ｈ２が共通のカバーユニット５６で覆われていることで、部品点数が削減されつつ、電装品箱５０内への液体の浸入を簡易且つ的確に抑制することが可能となっている。よって、信頼性低下が抑制されつつ、電装品箱５０内への液体の浸入を防止するうえでコスト増大が抑制されるようになっている。
【０１４１】
（７−２）
上記実施形態に係る室外ユニット１０では、室外ユニットケーシング４０には、上方向に室外空気流ＡＦを吹き出すための吹出口４０２が形成されており、室外ファン１８は、室外ユニットケーシング４０内において下方から上方へ向かって流れ吹出口４０２から流出する室外空気流ＡＦを生成している。室外ユニット１０では、このように上方向に室外空気流ＡＦを吹き出すための吹出口４０２を形成される場合（すなわち吹出口４０２を介して室外ユニットケーシング４０への液体の浸入が特に懸念される場合）においても、コストが抑制されつつ電装品箱５０への液体の浸入が抑制されている。
【０１４２】
（７−３）
上記実施形態に係る室外ユニット１０では、電装品箱５０又はカバーユニット５６には仕切部９８が配置されており、仕切部９８は、強電配線通し穴Ｈ１及び弱電配線通し穴Ｈ２に引き込まれる強電配線９６及び弱電配線９１を仕切っている。これにより、強電配線通し穴Ｈ１に引き込まれる強電配線９６と、弱電配線通し穴Ｈ２に引き込まれる弱電配線９１と、が近接することが抑制されている。その結果、弱電配線９１において、強電配線９６に近接することによるノイズの発生が抑制されている。
【０１４３】
（７−４）
上記実施形態に係る室外ユニット１０では、強電配線通し穴Ｈ１及び弱電配線通し穴Ｈ２は、基板ユニット７５の上端よりも低い高さ位置であって下端よりも高い高さ位置に配置されており、これに関連して、強電配線通し穴Ｈ１及び弱電配線通し穴Ｈ２が近接配置されている。その結果、カバーユニット５６が強電配線通し穴Ｈ１及び弱電配線通し穴Ｈ２の双方を覆いやすくなっており、コスト抑制が促進されている。
【０１４４】
（７−５）
上記実施形態に係る室外ユニット１０では、強電配線９６及び弱電配線９１は、強電配線通し穴Ｈ１及び弱電配線通し穴Ｈ２の双方を兼ねる第３穴５２ｃ（配線通し穴）を介して、分かれて電装品箱５０内に引き込まれている。これにより、強電配線９６及び弱電配線９１の引き込み部分の双方を共通のカバーユニット５６によって覆いやすくなっており、コスト抑制が促進されている。
【０１４５】
（７−６）
上記実施形態に係る室外ユニット１０では、強電配線通し穴Ｈ１に引き込まれる強電配線９６は１５本以上であり、弱電配線通し穴Ｈ２に引き込まれる弱電配線９１も１５本以上である。室外ユニット１０では、このように電装品箱５０内に引き込まれる電気配線の数が多く、ノイズに因る信頼性低下や、液体浸入抑制に関してコスト増大が特に懸念される場合でも、信頼性低下が抑制されており、また電装品箱５０内への液体の浸入を防止するうえでコスト増大が抑制されている。
【０１４６】
（７−７）
上記実施形態に係る室外ユニット１０では、第１側面カバー５４（カバーユニット５６）には、下方に開放する「下開口」（開放部分５４ａ）が形成されており、強電配線９６及び弱電配線９１は、「下開口」を介して第１側面カバー５４及び電装品箱５０内に引き込まれている。これにより、強電配線通し穴Ｈ１及び弱電配線通し穴Ｈ２への液体の浸入を抑制する「カバー部」を簡易に構成することが可能となっている。
【０１４７】
（７−８）
上記実施形態に係る室外ユニット１０では、カバーユニット５６は第１側面カバー５４と天面カバー５３とを含み、天面カバー５３（庇部５３４）は第１側面カバー５４の上方に位置し第１側面カバー５４を上方から覆っている。これにより、電装品箱５０内への液体の浸入がより確実に抑制されるようになっている。
【０１４８】
（８）変形例
上記実施形態は、以下の変形例に示すように適宜変形が可能である。なお、各変形例は、矛盾が生じない範囲で他の変形例と組み合わせて適用されてもよい。
【０１４９】
（８−１）変形例１
上記実施形態では、強電配線通し穴Ｈ１及び弱電配線通し穴Ｈ２の双方を兼ねる第３穴５２ｃが形成される場合（すなわち、強電配線通し穴Ｈ１及び弱電配線通し穴Ｈ２が繋がっている場合）について説明した。しかし、必ずしもこれに限定されず、強電配線通し穴Ｈ１及び弱電配線通し穴Ｈ２は必ずしも繋がっている必要はなく、それぞれ独立に形成されてもよい。
【０１５０】
例えば、図２７に示される電装品箱５０ａのように、強電配線通し穴Ｈ１及び弱電配線通し穴Ｈ２は、明確に仕切られるように、個別に形成されてもよい。係る場合でも、強電配線通し穴Ｈ１及び弱電配線通し穴Ｈ２が共通のカバーユニット５６によって、上方及び側方を外側から覆われる限り、上記実施形態と同様の作用効果が実現可能である。
【０１５１】
なお、強電配線通し穴Ｈ１及び弱電配線通し穴Ｈ２は、必ずしも水平方向に沿って並んでいる必要はなく、上下方向に沿って並んでいてもよい。係る場合、第１側面カバー５４について高さ方向の寸法を大きくすることで、１つの第１側面カバー５４で、強電配線通し穴Ｈ１及び弱電配線通し穴Ｈ２双方の上方及び側方を外側から覆うようにしてもよい。
【０１５２】
（８−２）変形例２
上記実施形態では、仕切部９８は、厚み方向が前後方向であり鉛直方向及び左右方向に沿って延びる仕切板９８１を有し、係る仕切板９８１によって、弱電配線９１と強電配線９６とを仕切ることで、両者が近接することを抑制していた。しかし、第３穴５２ｃに引き込まれる弱電配線９１と強電配線９６との距離を、弱電配線９１においてノイズが生じにくい程度に保つことが可能である限り、仕切部９８の構成態様については特に限定されない。
【０１５３】
例えば、図２８に示される電装品箱５０ｂのように、本体フレーム５２に形成される第３穴５２ｃの形成態様によって、第３穴５２ｃの縁において「仕切部」として機能するような部位「９８´」が設けられてもよい。図２８では、本体フレーム５２が、第３穴５２ｃの中央部分において部分的に残るように打ち抜かれることで、強電配線通し穴Ｈ１及び弱電配線通し穴Ｈ２の間に仕切部９８´が設けられつつ第３穴５２ｃが形成される様子が示されている。図２８のように仕切部が形成される場合、第３穴５２ｃにおいて、強電配線通し穴Ｈ１及び弱電配線通し穴Ｈ２は連通しているものの部分的に仕切られることとなる。
【０１５４】
（８−３）変形例３
上記実施形態では、第３穴５２ｃに引き込まれる弱電配線９１と強電配線９６とを仕切る仕切部９８が、電装品箱５０に配置される場合について説明した。しかし、仕切部９８は、必ずしも電装品箱５０に配置される必要はない。例えば、仕切部９８は、第１側面カバー５４の内側に配置されてもよい。
【０１５５】
また、第３穴５２ｃに引き込まれる弱電配線９１と強電配線９６との距離を、弱電配線９１においてノイズが生じにくい程度に保つことが可能であれば、必ずしも仕切部９８については必要ではなく、適宜省略が可能である。
【０１５６】
（８−４）変形例４
上記実施形態では、強電配線通し穴Ｈ１及び弱電配線通し穴Ｈ２は、基板ユニット７５の上端よりも低い高さ位置であって下端よりも高い高さ位置に配置されていた。この点、カバーユニット５６が強電配線通し穴Ｈ１及び弱電配線通し穴Ｈ２の双方を覆いやすいように強電配線通し穴Ｈ１及び弱電配線通し穴Ｈ２を近接配置する、という観点によれば、上記態様で強電配線通し穴Ｈ１及び弱電配線通し穴Ｈ２が配置されることが好ましい。
【０１５７】
しかし、強電配線通し穴Ｈ１及び弱電配線通し穴Ｈ２が共通のカバーユニット５６によって、その上方及び側方を外側から覆われる限り、必ずしも係る態様で強電配線通し穴Ｈ１及び弱電配線通し穴Ｈ２が配置される必要はない。すなわち、上記（７−１）に記載の採用効果に矛盾が生じない限り、強電配線通し穴Ｈ１及び弱電配線通し穴Ｈ２は、基板ユニット７５の上端よりも高い高さ位置に配置されてもよいし、基板ユニット７５下端よりも低い高さ位置に配置されてもよい。
【０１５８】
（８−５）変形例５
上記実施形態では、圧縮機１２から延びる強電配線９６については、他の強電配線９６とは異なる開口（第４穴５２ｄ）を介して、電装品箱５０内に独立に引き込まれていた。しかし、必ずしもこれに限定されず、圧縮機１２から延びる強電配線９６についても、他の強電配線９６ととともに、第３穴５２ｃ（強電配線通し穴Ｈ１）を介して電装品箱５０内に引き込まれるようにしてもよい。
【０１５９】
（８−６）変形例６
上記実施形態では、弱電部品９０と強電部品９５とは異なる基板に実装されていた。しかし、必ずしもこれに限定されず、信頼性が確保される限り、弱電部品９０と強電部品９５とは同一の基板に実装されてもよい。例えば、制御基板７１に実装される弱電部品９０が圧縮機制御基板７６又はファン制御基板７７に実装されてもよい。
【０１６０】
（８−７）変形例７
上記実施形態では、強電配線９６に接続される機器がアクチュエータ（圧縮機１２や室外ファン１８等）である場合について説明した。しかし、強電配線９６に接続される機器については必ずしもアクチュエータには限定されない。例えば、強電配線９６に接続される機器については、通電されることで加熱状態となる電気ヒータ等であってもよい。
【０１６１】
（８−８）変形例８
上記実施形態では、第１側面カバー５４の上方に位置して第３穴５２ｃを介した内部空間ＳＰへの液体浸入を抑制する庇部５３４は、天面カバー５３の一部として設けられた。しかし、必ずしも庇部５３４は、天面カバー５３に含まれている必要はなく、他の部材において設けられてもよいし、独立した部材として設けられてもよい。
【０１６２】
（８−９）変形例９
上記実施形態では、第４穴５２ｄからの液体浸入を抑制する第２側面カバー５５が配置されていた。しかし、信頼性の観点から必ずしも必要ではない場合には、第２側面カバー５５については適宜省略されてもよい。係る場合、第１側面カバー５４について高さ方向の寸法を大きくするとともに第４穴５２ｄの上方に配置することで、１つの第１側面カバー５４のみで、第３穴５２ｃ及び第４穴５２ｄ双方の上方及び側方を外側から覆うようにしてもよい。
【０１６３】
（８−１０）変形例１０
上記実施形態では、電装品箱５０の上方には、主として第３穴５２ｃ及び第５穴５２ｅを介した電装品箱５０への液体の浸入を抑制する天面カバー５３が、配置されていた。この点、第３穴５２ｃ及び第５穴５２ｅを介した電装品箱５０への液体の浸入をより確実に抑制するという観点によれば、係る天面カバー５３が上記実施形態における態様で構成され配置されることが好ましい。しかし、電装品箱５０への液体の浸入に対する信頼性が確保されるのであれば、必ずしも係る天面カバー５３は必要ではなく、適宜省略可能である。
【０１６４】
（８−１１）変形例１１
上記実施形態では、室外ユニット１０は、吹出口４０２が天面に形成されており、室外空気流ＡＦが室外ユニットケーシング４０内において主に下方から上方に向かって流れ吹出口４０２から上方に吹き出されるように構成された、いわゆる上吹き型の室外ユニットであった。しかし、必ずしもこれに限定されず、室外ユニット１０は、他の型式が採用されてもよい。
【０１６５】
例えば、室外ユニット１０は、吹出口４０２が正面部分に形成され、室外空気流ＡＦが吹出口４０２から水平方向に吹き出されるように構成された、いわゆる横吹き型の室外ユニットであってもよい。なお、係る場合、室外ファン１８は、生成する室外空気流ＡＦが、室外ユニットケーシング４０内において主として水平方向に流れるような姿勢（回転軸が水平方向に延びるような姿勢）で設置されてもよい。
【０１６６】
（８−１２）変形例１２
上記実施形態では、２つの室外ファン１８を有する室外ユニット１０´を想定して、電装品箱５０内でファン制御基板７７（ファン制御用電気部品６６）が左右に２つ配置される場合について説明した。しかし、例えば図２−図４に示されるように、室外ファン１８を１つのみ有する室外ユニット１０においては、ファン制御基板７７が１つのみ配置されればよい。すなわち、図１２等で示される２つのファン制御基板７７のうち、一方については適宜省略されてもよい。係る場合、省略されるファン制御基板７７に対応する第２冷却ユニット８５についても省略される。
【０１６７】
（８−１３）変形例１３
上記実施形態では、基板ユニット７５は、圧縮機制御基板７６とファン制御基板７７とを含み、圧縮機制御用電気部品実装部分７５ａは圧縮機制御基板７６に配置され、ファン制御用電気部品実装部分７５ｂはファン制御基板７７に配置されていた。すなわち、上記実施形態では、圧縮機制御用電気部品６３が圧縮機制御基板７６に実装され、ファン制御用電気部品６６がファン制御基板７７に実装されており、圧縮機制御用電気部品６３とファン制御用電気部品６６とは異なる基板に実装されていた。
【０１６８】
しかし、必ずしもこれに限定されず、圧縮機制御用電気部品６３とファン制御用電気部品６６とは同一の基板に実装されてもよい（つまり、圧縮機制御用電気部品実装部分７５ａ及びファン制御用電気部品実装部分７５ｂは同一の基板に配置されてもよい）。すなわち、基板ユニット７５は、必ずしも複数の基板を有している必要はない。
【０１６９】
（８−１４）変形例１４
上記実施形態における冷媒回路ＲＣの構成態様は、必ずしも図１に示す態様に限定されず、設計仕様や設置環境に応じて適宜変更が可能である。例えば、必ずしも必要ではない場合には、アキュームレータ１１や室外膨張弁１６については、適宜省略が可能である。また、冷媒回路ＲＣには、図１に示されない機器（例えばレシーバ等）が新たに追加されてもよい。
【０１７０】
（８−１５）変形例１５
上記実施形態では、本発明が、１台の室外ユニット１０に対して２台の室内ユニット３０が連絡配管（Ｌ１、Ｇ１）で並列に接続された空調システム１００に適用される例について説明した。しかし、本発明が適用される空調システムの構成態様は、必ずしも係る態様には限定されない。すなわち、本発明が適用される空調システムに関して、室外ユニット１０及び／又は室内ユニット３０の台数及びその接続態様については、設置環境や設計仕様に応じて適宜変更が可能である。
【０１７１】
（８−１６）変形例１６
上記実施形態において本発明は、空調システム１００に適用されていた。しかし、これに限定されず、本発明は、冷媒回路を有する他の冷凍装置（例えば給湯器やヒートポンプチラー等）にも適用可能である。
【産業上の利用可能性】
【０１７２】
本発明は、冷凍装置の室外ユニットに室内可能である。
【符号の説明】
【０１７３】
１０、１０´：室外ユニット
１２      ：圧縮機
１８      ：室外ファン（ファン）
１９      ：室外側センサ
２０      ：室外ユニット制御部
３０      ：室内ユニット
４０、４０´：室外ユニットケーシング（ケーシング）
５０、５０ａ、５０ｂ：電装品箱（電気部品ボックス）
５１      ：前面カバー
５２      ：本体フレーム
５２ａ    ：第１穴
５２ｂ    ：第２穴
５２ｃ    ：第３穴（配線通し穴）
５２ｄ    ：第４穴
５２ｅ    ：第５穴
５２ｅ１  ：縁部
５２ｆ    ：第６穴
５３      ：天面カバー（第２カバー部材）
５４      ：第１側面カバー（第１カバー部材）
５４ａ    ：開放部分（下開口）
５５      ：第２側面カバー
５６      ：カバーユニット（カバー部）
５７、５８：シール部材
６３      ：圧縮機制御用電気部品
６５      ：パワーモジュール
６６      ：ファン制御用電気部品
７１      ：制御基板（基板）
７５      ：基板ユニット（基板）
７５ａ    ：圧縮機制御用電気部品実装部分
７５ｂ    ：ファン制御用電気部品実装部分
７６      ：圧縮機制御基板（基板）
７７      ：ファン制御基板（基板）
９０      ：弱電部品（第２電気部品）
９１      ：弱電配線（第２配線）
９５      ：強電部品（第１電気部品）
９６      ：強電配線（第１配線）
９８、９８´：仕切部
９９ａ    ：第１クランプ
９９ｂ    ：第２クランプ
１００    ：空調システム
４０２    ：吹出口
５０１    ：鉛直板
５２１    ：背面部
５２２    ：左側面部
５２３    ：右側面部
５２４    ：天面部
５３１    ：上カバー部
５３２    ：左側方カバー部
５３３    ：右側方カバー部
５３４    ：庇部
５４１    ：右側部
５４２    ：前側部
５４３    ：後側部
５４４    ：上部
５４５    ：後側折曲部
５４６    ：前側折曲部
５４７    ：上側折曲部
９８１    ：仕切板
ＡＦ      ：室外空気流（空気流）
Ｅ１      ：電気部品
Ｈ１      ：強電配線通し穴（第１開口）
Ｈ２      ：弱電配線通し穴（第２開口）
ＲＣ      ：冷媒回路
Ｓ１      ：送風空間
ＳＰ      ：内部空間
ＳＰ１    ：下部空間
ＳＰ２    ：上部空間
ＳＰ２ａ  ：前側上部空間
ＳＰ２ｂ  ：後側上部空間
【先行技術文献】
【特許文献】
【０１７４】
【特許文献１】特開２００８−１４４９８２号公報
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
複数の機器（１２、１８、１９、・・・）を収容するケーシング（４０、４０´）と、
第１電気部品（９５）と、第２電気部品（９０）と、を含む電気部品（Ｅ１）と、
前記ケーシング内に配置され、前記電気部品を収容する電気部品ボックス（５０、５０ａ、５０ｂ）と、
前記第１電気部品といずれかの前記機器（１２、１８、・・・）との間で電圧又は電流を供給される第１配線（９６）と、
前記第２電気部品と他のいずれかの前記機器（１９、・・・）との間で、前記第１配線に供給されるよりも小さい値の電圧又は電流を供給される第２配線（９１）と、
前記電気部品ボックス内への液体の浸入を抑制するカバー部（５６、５４、５３）と、
を備え、
前記電気部品ボックスには、前記第１配線を引き込むための第１開口（Ｈ１）と、前記第２配線を引き込むための第２開口（Ｈ２）と、が側方に形成され、
前記カバー部は、前記電気部品ボックスの外面において前記第１開口及び前記第２開口の周囲に配置され、前記第１開口及び前記第２開口双方の上方及び側方を覆う、
冷凍装置の室外ユニット（１０、１０´）。
【請求項２】
前記機器には、空気流（ＡＦ）を生成するファン（１８）が含まれ、
前記ケーシングには、上方向に前記空気流を吹き出すための吹出口（４０２）が形成され、
前記空気流は、前記ケーシング内において下方から上方へ向かって流れ前記吹出口から流出する空気の流れである、
請求項１に記載の冷凍装置の室外ユニット（１０、１０´）。
【請求項３】
前記電気部品ボックス又は前記カバー部には、前記第１開口及び前記第２開口に引き込まれる前記第１配線及び前記第２配線の近接を抑制する近接抑制部材（９８、９８´）が配置される、
請求項１又は２に記載の冷凍装置の室外ユニット（１０、１０´）。
【請求項４】
前記近接抑制部材は、前記第１配線及び前記第２配線を仕切る仕切部（９８、９８´）である、
請求項３に記載の冷凍装置の室外ユニット（１０、１０´）。
【請求項５】
前記電気部品を実装される基板（７５）を備え、
前記第１開口及び前記第２開口は、前記基板の上端よりも低い高さ位置であって下端よりも高い高さ位置に配置される、
請求項１から４のいずれか１項に記載の冷凍装置の室外ユニット（１０、１０´）。
【請求項６】
前記電気部品ボックスには、前記第１開口及び前記第２開口の双方を兼ねる配線通し穴（５２ｃ）が形成され、
前記第１配線及び前記第２配線は、前記配線通し穴を介して、分かれて前記電気部品ボックス内に引き込まれ、
前記カバー部は、前記配線通し穴の周囲に配置され、前記配線通し穴の上方及び側方を覆う、
請求項１から５のいずれか１項に記載の冷凍装置の室外ユニット（１０、１０´）。
【請求項７】
前記第１開口に引き込まれる前記第１配線、及び前記第２開口に引き込まれる前記第２配線はそれぞれ１５本以上である、
請求項１から６のいずれか１項に記載の冷凍装置の室外ユニット（１０、１０´）。
【請求項８】
前記カバー部（５４）は、下方に開放する下開口（５４ａ）を形成され、
前記第１配線及び前記第２配線は前記下開口を介して前記カバー部及び前記電気部品ボックス内に引き込まれる、
請求項１から７のいずれか１項に記載の冷凍装置の室外ユニット（１０、１０´）。
【請求項９】
前記カバー部は、第１カバー部材（５４）と、第２カバー部材（５３）と、を含み、
前記第２カバー部材は、前記第１カバー部材の上方に位置し前記第１カバー部材を上方から覆う、
請求項１から８のいずれか１項に記載の冷凍装置の室外ユニット（１０、１０´）。